(57)【要約】【課題】小当り遊技が頻繁に実行される遊技状態に移行するか否かに対する遊技者の関心を高めて、遊技興趣を向上させる。【解決手段】遊技機は、大当り遊技の終了後の遊技状態を、可変始動口が入球容易な状態で大当り確率が低確率の低確電サポあり状態または可変始動口が入球容易な状態で大当り確率が高確率の高確電サポあり状態に設定可能であり、低確電サポあり状態中に可変始動口を入球容易な状態から入球困難な状態とする所定条件が成立すると低確電サポなし状態に設定し、高確電サポあり状態中に所定条件が成立すると小当り遊技の発生頻度が最も高い高確電サポなし状態に設定する。また、低確電サポあり状態と高確電サポあり状態とにおいて、大当り確率を判別困難となるように同一または類似の演出態様で演出表示を行ない、同一の報知態様で遊技状態を報知する。【選択図】図２３
2020116003.tif 000002
【特許請求の範囲】
【請求項１】
遊技球が入球困難な状態と遊技球が入球容易な状態とに変化する可変始動口を含む複数の始動口と、
前記始動口への遊技球の入球に基づいて当否判定を行なう当否判定手段と、
前記当否判定の結果が大当りの場合に大入賞口を所定の開放態様で開放する大当り遊技を実行する大当り遊技実行手段と、
前記当否判定の結果が小当りの場合に前記大当り遊技よりも総開放時間が短い開放態様で大入賞口を開放する小当り遊技を実行する小当り遊技実行手段と、
前記可変始動口が入球困難な状態で前記当否判定の結果が大当りとなる大当り確率が低確率の通常遊技状態と、前記可変始動口が入球容易な状態で前記大当り確率が低確率の第１所定遊技状態と、前記可変始動口が入球容易な状態で前記大当り確率が高確率の第２所定遊技状態と、前記可変始動口が入球困難な状態で前記大当り確率が高確率の特定遊技状態との複数の遊技状態のうちいずれかを設定する遊技状態設定手段と、
所定の演出表示を行なう演出表示手段と、
前記遊技状態設定手段により設定されている遊技状態を報知する遊技状態報知手段と、
を備える遊技機であって、
前記特定遊技状態は、前記複数の遊技状態のうち前記小当り遊技の発生頻度が最も高い遊技状態となるように構成され、
前記遊技状態設定手段は、前記大当り遊技の終了後の遊技状態を、前記第１所定遊技状態または前記第２所定遊技状態に設定可能であり、前記第１所定遊技状態中に前記可変始動口を入球容易な状態から入球困難な状態とする所定条件が成立すると前記通常遊技状態に設定し、前記第２所定遊技状態中に前記所定条件が成立すると前記特定遊技状態に設定し、
前記演出表示手段は、前記第１所定遊技状態と前記第２所定遊技状態とにおいて前記大当り確率が高確率か低確率かを判別困難となるように、同一または類似の演出態様で特定遊技期待演出を行ない、
該特定遊技期待演出では、前記第１所定遊技状態および前記第２所定遊技状態での所定回数目の前記当否判定に基づいて、前記特定遊技状態が設定されるか否かの報知演出を行なう
遊技機。
【発明の詳細な説明】
【技術分野】
【０００１】
本発明は、パチンコ機やアレンジボールなどの遊技機に関する。
【背景技術】
【０００２】
従来、この種の遊技機としては、始動口への遊技球の入球に基づいて変動表示される特別図柄が大当り図柄で確定表示されると、大入賞口を開放する大当り遊技を実行し、小当り図柄で確定表示されると、大当り遊技よりも短い時間だけ大入賞口を開放する小当り遊技を実行するものが知られている。例えば、特許文献１には、特別図柄として第１始動口への遊技球の入球に基づいて変動表示される第１特別図柄と、第２始動口への遊技球の入球に基づいて変動表示される第２特別図柄とを備え、第１特別図柄の変動表示と第２特別図柄の変動表示とを同時に実行可能とすると共に第２特別図柄の小当り確率を第１特別図柄よりも高確率とし、低確率遊技状態では、第１始動口への遊技球の入球に基づく第１特別図柄の変動表示のみが実質的に行なわれるように第２特別図柄の変動時間を長くし、高確率遊技状態では、第２特別図柄の変動時間を短くすることで小当り遊技が頻繁に実行されるようにした遊技機が開示されている。この遊技機では、確変大当りを経て高確率遊技状態に移行することで、高確率遊技状態が設定されている間、小当り遊技の頻繁な実行により遊技球を徐々に増加させることができる。
【０００３】
また、この種の遊技機において、遊技状態を報知するための報知手段を備えるものも知られている。例えば、特許文献２には、遊技状態が時短遊技状態（電サポあり状態）や高確率遊技状態であることを報知するための遊技状態報知ＬＥＤ３と、電源投入時に遊技状態が高確率遊技状態であることを報知するための遊技状態報知ＬＥＤ４とを備える遊技機が開示されている。
【先行技術文献】
【特許文献】
【０００４】
【特許文献１】特開２０１５−１３０４２号公報
【特許文献２】特開２００８−２２０８４１号公報
【発明の概要】
【発明が解決しようとする課題】
【０００５】
特許文献１のような遊技性をもつ遊技機として、大当り遊技の終了後に電サポあり状態となり、電サポあり状態で特別図柄の変動表示が所定回数行われると、電サポあり状態を終了して小当り遊技が頻繁に実行される遊技状態（小当りラッシュ状態）に移行するものがある。このような遊技機では、従来は有利期間として扱われていた電サポあり状態が終了しても、小当りラッシュ状態に移行するから、電サポあり状態の終了が新たな有利期間の開始を意味することになり、従来にない遊技感覚を与えることができる。また、電サポあり状態中に高確率状態か低確率状態かを遊技者に判別困難な演出態様としておくことで、電サポあり状態が終了すると、高確率且つ電サポなし状態か低確率且つ電サポなし状態のいずれの遊技状態に移行するかに遊技者の関心を高めることも考えられる。しかしながら、特許文献２のように遊技状態を報知するものでは、ＬＥＤの報知（点灯）状態を見れば遊技者が遊技状態を判別できてしまうため、演出効果を高めることができず、面白みに欠けるものとなってしまう。
【０００６】
本発明の遊技機は、小当り遊技が頻繁に実行される遊技状態に移行するか否かに対する遊技者の関心を高めて、遊技興趣を向上させることを主目的とする。
【課題を解決するための手段】
【０００７】
本発明の遊技機は、上述の主目的を達成するために以下の手段を採った。
【０００８】
本発明の遊技機は、
遊技球が入球困難な状態と遊技球が入球容易な状態とに変化する可変始動口を含む複数の始動口と、
前記始動口への遊技球の入球に基づいて当否判定を行なう当否判定手段と、
前記当否判定の結果が大当りの場合に大入賞口を所定の開放態様で開放する大当り遊技を実行する大当り遊技実行手段と、
前記当否判定の結果が小当りの場合に前記大当り遊技よりも総開放時間が短い開放態様で大入賞口を開放する小当り遊技を実行する小当り遊技実行手段と、
前記可変始動口が入球困難な状態で前記当否判定の結果が大当りとなる大当り確率が低確率の通常遊技状態と、前記可変始動口が入球容易な状態で前記大当り確率が低確率の第１所定遊技状態と、前記可変始動口が入球容易な状態で前記大当り確率が高確率の第２所定遊技状態と、前記可変始動口が入球困難な状態で前記大当り確率が高確率の特定遊技状態との複数の遊技状態のうちいずれかを設定する遊技状態設定手段と、
所定の演出表示を行なう演出表示手段と、
前記遊技状態設定手段により設定されている遊技状態を報知する遊技状態報知手段と、
を備える遊技機であって、
前記特定遊技状態は、前記複数の遊技状態のうち前記小当り遊技の発生頻度が最も高い遊技状態となるように構成され、
前記遊技状態設定手段は、前記大当り遊技の終了後の遊技状態を、前記第１所定遊技状態または前記第２所定遊技状態に設定可能であり、前記第１所定遊技状態中に前記可変始動口を入球容易な状態から入球困難な状態とする所定条件が成立すると前記通常遊技状態に設定し、前記第２所定遊技状態中に前記所定条件が成立すると前記特定遊技状態に設定し、
前記演出表示手段は、前記第１所定遊技状態と前記第２所定遊技状態とにおいて前記大当り確率が高確率か低確率かを判別困難となるように、同一または類似の演出態様で特定遊技期待演出を行ない、
該特定遊技期待演出では、前記第１所定遊技状態および前記第２所定遊技状態での所定回数目の前記当否判定に基づいて、前記特定遊技状態が設定されるか否かの報知演出を行なう
ことを要旨とする。
【０００９】
本発明の遊技機では、前記大当り遊技の終了後の遊技状態を、可変始動口が入球容易な状態で大当り確率が低確率の第１所定遊技状態または可変始動口が入球容易な状態で大当り確率が高確率の第２所定遊技状態に設定可能であり、第１所定遊技状態中に可変始動口を入球容易な状態から入球困難な状態とする所定条件が成立すると通常遊技状態に設定し、第２所定遊技状態中に所定条件が成立すると小当り遊技の発生頻度が最も高い特定遊技状態に設定する。また、第１所定遊技状態と第２所定遊技状態とにおいて、大当り確率を判別困難となるように同一または類似の演出態様で特定遊技期待演出を行ない、同一の報知態様で遊技状態を報知する。これにより、演出態様や報知態様からでは、遊技状態が第１所定遊技状態および第２所定遊技状態のいずれであるかを遊技者に判別しにくくすることができる。このため、可変始動口が入球容易な状態の第１所定遊技状態や第２所定遊技状態において、可変始動口が入球困難な状態に変化した場合に、特定遊技状態になるか通常遊技状態になるかに対する遊技者の関心を高めて、遊技興趣を向上させることができる。
【００１０】
また、遊技機は、前記遊技機の電源が遮断される際に遊技状態をバックアップするバックアップ機能を備え、前記遊技状態報知手段は、前記遊技機の電源投入時に、前記バックアップ機能のバックアップにより前記第１所定遊技状態または前記第２所定遊技状態のいずれかで復帰した場合には、前記第１所定遊技状態と前記第２所定遊技状態とを異なる報知態様で遊技状態を報知するものとしてもよい。こうすれば、遊技中には第１所定遊技状態または第２所定遊技状態のいずれであるかを秘匿にしつつ、遊技機の電源投入時には正確な遊技状態を把握させることができる。
【００１１】
ここで、「小当り遊技」は、大入賞口を複数回開放してもよいし、１回だけ開放してもよい。「大入賞口」は、１つだけ有するものに限られず、２つ有するものであってもよく、大当り遊技で開放される大入賞口と小当り遊技で開放される大入賞口は、同じものでもよいし、異なるものでもよい。また、発射装置により発射された遊技球が流下可能な遊技領域として、所定力未満の発射威力で発射された遊技球が流下する可能性が高い第１遊技領域と、所定力以上の発射威力で発射された遊技球が流下する可能性が高い第２遊技領域とが設けられた遊技盤を備え、第１遊技領域を流下する遊技球が入球可能な位置に設けられ遊技球の入球可能性が一定の第１始動口と、第２遊技領域を流下する遊技球が入球可能な位置に設けられた可変始動口としての第２始動口と、少なくとも第２遊技領域を流下する遊技球が入球可能な位置に設けられた大入賞口と、を備えるものとしてもよい。また、第２遊技領域を流下する遊技球が入球可能であって第２始動口よりも下流側の位置に設けられ遊技球の入球可能性が一定の第３始動口を備える構成としてもよい。その構成では、可変始動口としての第２始動口が入球容易な状態の第１所定遊技状態と第２所定遊技状態では第３始動口へ遊技球が殆ど入球せず、第２始動口が入球困難な状態の特定遊技状態では第３始動口へ遊技球が入球し易くなるから、特定遊技状態では主に第３始動口への遊技球の入球に基づく遊技を進行させて小当り遊技の発生頻度を高めるものとする。また、始動口への遊技球の入球に基づいて特別図柄を変動表示させ、当否判定手段の当否判定の結果を示す図柄で確定表示させる特別図柄表示手段を備え、特別図柄が所定の大当り図柄で確定表示されると大当り遊技実行手段が大当り遊技を実行し、特別図柄が所定の小当り図柄で確定表示されると小当り遊技実行手段が小当り遊技を実行する構成としてもよい。その構成では、遊技状態設定手段は、第１所定遊技状態中や第２所定遊技状態中に特別図柄の変動表示が所定回数実行されると、所定条件が成立したとして可変始動口を入球容易な状態から入球困難な状態とするものとしてもよい。また、大当り図柄（大当り遊技の種類）に応じて回数が異なる複数の所定回数を有するものとしてもよい。そのようにすれば、第１所定遊技状態中や第２所定遊技状態中にいつ所定条件が成立するか（可変始動口がいつ入球困難な状態に変化するか）にも遊技者の関心を高めて、遊技興趣を向上させることができる。また、小当り遊技の発生頻度の高い特定遊技状態は、当否判定により小当りと判定される確率が高確率の大当り確率よりも高く、特別図柄が変動表示する平均変動時間が通常遊技状態よりも短い状態としてもよい。即ち、特定遊技状態は、他の遊技状態よりも、単位時間あたりの当否判定の頻度が高く且つ当否判定で小当りと判定する確率の高い遊技状態である（小当りラッシュ状態，小当り多発状態）。また、第１始動口への遊技球の入球に基づく当否判定では小当りと判定しない構成としてもよい。なお、始動口への遊技球の入球に基づいて行なわれる当否判定において、小当りと判定する小当り確率を変動可能としておき、特定遊技状態では小当り確率を高くする構成などとしてもよい。
【発明の効果】
【００１２】
本発明の遊技機によれば、小当り遊技が頻繁に実行される遊技状態に移行するか否かに対する遊技者の関心を高めて、遊技興趣を向上させる。
【図面の簡単な説明】
【００１３】
【図１】本発明の一実施例としてのパチンコ機１の正面図である。
【図２】パチンコ機１の裏面図である。
【図３】パチンコ機１が有する遊技盤２０の概略構成図である。
【図４】パチンコ機１の電気的な構成を示すブロック図である。
【図５】演出図柄表示装置４０の演出表示の一例を示す説明図である。
【図６】パチンコ機１の仕様を説明する説明図である。
【図７】主制御装置６０のＣＰＵ６０ａにより実行される主制御処理の一例を示すフローチャートである。
【図８】電源投入処理の一例を示すフローチャートである。
【図９】状態報知装置の点灯態様の一例を示す説明図である。
【図１０】始動入賞処理の一例を示すフローチャートである。
【図１１】第１特別図柄遊技処理の一例を示すフローチャートである。
【図１２】第１特別図柄遊技処理の一例を示すフローチャートである。
【図１３】第１特別図柄用の大当り図柄決定テーブルの一例を示す説明図である。
【図１４】遊技状態設定処理の一例を示すフローチャートである。
【図１５】第２特別図柄遊技処理の一例を示すフローチャートである。
【図１６】第２特別図柄遊技処理の一例を示すフローチャートである。
【図１７】第２特別図柄用の大当り図柄決定テーブルおよび小当り図柄決定テーブルの一例を示す説明図である。
【図１８】大当り遊技処理の一例を示すフローチャートである。
【図１９】大当り遊技処理の一例を示すフローチャートである。
【図２０】小当り遊技処理の一例を示すフローチャートである。
【図２１】大当り終了時演出モード設定処理の一例を示すフローチャートである。
【図２２】各演出モードにおける表示画面の一例を示す説明図である。
【図２３】演出モードの遷移の様子を示す説明図である。
【図２４】図柄変動演出処理の一例を示すフローチャートである。
【図２５】突入チャンス演出の一例を示す説明図である。
【図２６】突入成功演出と突入失敗演出の一例を示す説明図である。
【図２７】大当り遊技の終了後に高確電サポあり状態が設定された場合のタイムチャートの一例を示す説明図である。
【図２８】大当り遊技の終了後に低確電サポあり状態が設定された場合のタイムチャートの一例を示す説明図である。
【図２９】大当り遊技の終了後に高確電サポなし状態が設定された場合のタイムチャートの一例を示す説明図である。
【図３０】チャンスモード中からＲＵＳＨモードの開始を報知する演出表示の一例を示す説明図である。
【図３１】変形例の状態報知装置の点灯態様を示す説明図である。
【図３２】変形例の状態報知装置の点灯態様を示す説明図である。
【図３３】変形例の状態報知装置の点灯態様を示す説明図である。
【発明を実施するための形態】
【００１４】
次に、本発明を実施するための形態を実施例を用いて説明する。
【実施例】
【００１５】
図１は、本発明の一実施例としてのパチンコ機１の正面図であり、図２は、パチンコ機１の裏面図であり、図３は、パチンコ機１が有する遊技盤２０の概略構成図であり、図４は、パチンコ機１の電気的な構成を示すブロック図である。
【００１６】
本実施例では、始動口に遊技球が入球したことを契機として特別図柄の変動表示を開始し、当該特別図柄が所定の大当り図柄で停止表示されると、大当り遊技を開始する、いわゆるセブン機タイプの遊技機に本発明を適用した例について説明する。
【００１７】
［パチンコ機１の外観構成］
本実施例のパチンコ機１は、図１に示すように、前面枠（ガラス枠）３に嵌め込まれたガラス板（透明板）４を介して盤面が視認可能に配置された遊技盤２０と、遊技球を貯留する上受け皿１１および下受け皿１２と、上受け皿１１に貯留されている遊技球を遊技盤
２０へ発射するための発射ハンドル１３と、を備える。本実施例のパチンコ機１は、プリペイドカードに対応したＣＲ機であり、当該パチンコ機１の左側には、プリペイドカードの読み書きを行なうためのＣＲユニット５０が設けられている。
【００１８】
前面枠３は、内枠５に嵌め込まれており、左側の上下に設けられたヒンジを支点として内枠５に対して開閉可能となっている。また、内枠５は、外枠２に嵌め込まれており、左側の上下に設けられたヒンジを支点として外枠２に対して開閉可能となっている。前面枠３と内枠５は、略長方形状のプラスティック製の枠体として構成されている。一方、外枠２は、略長方形状の木製の枠体として構成されており、遊技ホールの島設備の島枠に固定される。
【００１９】
前面枠３の上部左右には、遊技の進行に伴って種々の効果音を鳴らしたり遊技者に対して注意喚起するための警告音を鳴らしたりするスピーカ１４が設けられている。また、前面枠３には、遊技状態に応じて発光する枠側装飾ランプ（ランプ）１５が複数設けられている。
【００２０】
上受け皿１１には賞球や貸球が払い出されるようになっている。上受け皿１１の上面右部には、ＣＲユニット５０に挿入されたプリペイドカードの残高等を表示する精算表示装置５２が配設され、当該精算表示装置５２には、遊技球の貸し出しを指示する球貸ボタン５３と、ＣＲユニット５０に挿入されているプリペイドカードの精算（返却）を指示する精算ボタン５４と、が設けられている。また、上受け皿１１の上面中央部には、遊技者の操作に応じて各種演出を行なうための演出ボタン１６が配設されている。下受け皿１２は上受け皿１１から溢れた球を受けることができるようになっている。
【００２１】
発射ハンドル１３は、下受け皿１２の右方に設けられており、遊技者により時計回りに回動操作されると、図示しない発射装置が有する発射モータ８３（図３参照）が作動し、発射ハンドル１３の回動操作量に応じた発射威力で遊技球を１球ずつ遊技盤２０へ向けて打ち出す。
【００２２】
［遊技盤２０の構成］
遊技盤２０は、図２に示すように、外レール２１ａと内レール２１ｂとによって囲まれる遊技領域２１が形成されている。この遊技盤２０は、遊技領域２１の略中央部に設けられた演出図柄表示装置４０と、演出図柄表示装置４０の周囲に配置されたワープ入口やワープ樋，ステージ等を含むセンター役物３９と、センター役物３９の右方に配置された普通図柄作動ゲート２２と、センター役物３９の下方に配置された常時開放の第１始動口２３と、普通図柄作動ゲート２２の下方に配置された開閉式の第２始動口２４と、第２始動口２４の左下方に配置された大入賞口２６と、大入賞口２６の左下方に配置された常時開放の第３始動口２５と、遊技領域２１の左下部に配置された常時開放の普通入賞口２８と、何れの入賞口にも入らなかった遊技球を回収するためのアウト口２９と、を備える。また、遊技盤３０には、遊技領域２１を流下する遊技球をガイドしたり弾いたりする多数の釘２１ｃが植設されている。
【００２３】
第２始動口２４は、普通電動役物として構成される可変式の入球口であり、スライド式の開閉板（開閉部材）２４ｂと、開閉板２４ｂを作動させる第２始動口ソレノイド２４ｃ（図３参照）と、を備える。この第２始動口２４は、通常は、開閉板２４ｂが盤面から突き出て遊技球の入球が不能な閉鎖状態とされており、普通図柄が当り図柄で停止表示されて当り遊技（普通図柄当り遊技）が実行されるときに、第２始動口ソレノイド２４ｃによって開閉板２４ｂが盤面内に引き込まれることにより、遊技球の入球が可能な開放状態とされる。第２始動口２４には、遊技球の入球を検知してその入球数をカウントするための第２始動口スイッチ２４ａが取り付けられている。第２始動口２４は、第２始動口スイッ
チ２４ａが遊技球の入球を規定数カウントするか、規定数カウントする前に予め定められた最大開放時間が経過すると閉鎖される。
【００２４】
大入賞口２６は、特別電動役物として構成される可変式の入球口であり、スライド式の開閉板（開閉部材）２６ｂと、開閉板２６ｂを作動させる大入賞口ソレノイド２６ｃ（図３参照）と、を備える。この大入賞口２６は、通常は、開閉板２６ｂが盤面から突き出て遊技球の入球が不能な閉鎖状態とされており、特別図柄が大当り図柄で停止表示されて大当り遊技（特別遊技）が実行されるか特別図柄が小当り図柄で停止表示されて小当り遊技が実行されるときに、大入賞口ソレノイド２６ｃによって開閉板２６ｂが盤面内に引き込まれることにより、遊技球の入球が可能な開放状態とされる。大入賞口２６には、遊技球の入球を検知してその入球数をカウントするための大入賞口スイッチ２６ａが取り付けられている。大入賞口２６は、大入賞口スイッチ２６ａが遊技球の入球を規定数カウントするか、規定数カウントする前に予め定められた最大開放時間が経過すると閉鎖される。
【００２５】
第１始動口２３は、遊技者が遊技球を遊技領域２１の左側領域（第１遊技領域）に流下させるように発射ハンドル１３を回動操作（いわゆる左打ち）することにより遊技球を入球させることができる。一方、第２始動口２４，第３始動口２５，大入賞口２６は、左打ちによって遊技球を入球させることは不可能であり、遊技球を遊技領域２１の右側領域（第２遊技領域）に流下させるように発射ハンドル１３を回動操作（いわゆる右打ち）することにより遊技球を入球させることができる。もっとも、第２始動口２４，大入賞口２６は、可変式の入賞口であり、それぞれ、普通図柄が当選した場合，特別図柄が大当りまたは小当りの場合に開放されてはじめて遊技球が入球可能となる。第２始動口２４，大入賞口２６，第３始動口２５は、上流側からこの順に配置されている。このため、右打ちにより発射された遊技球は、第２始動口２４が閉鎖しているときには当該第２始動口２４の開閉板２４ｂの上を右から左へ流下するように通過して下流側の大入賞口２６に向かい、大入賞口２６が閉鎖しているときには当該大入賞口２６の開閉板２６ｂの上を右から左へ流下するように通過して下流側の第３始動口２５に向かう。また、右打ちにより発射された遊技球は、第２始動口２４が開放しているときには当該第２始動口２４に入球して大入賞口２６や第３始動口２５へは流下せず、大入賞口２６が開放しているときには当該大入賞口２６に入球して第３始動口２５へは流下しないようになっている。
【００２６】
遊技盤２０の右下部には、第１特別図柄表示装置（第１特図表示装置）３１と、第２特別図柄表示装置（第２特図表示装置）３２と、第１特別図柄保留数表示装置（第１特図保留数表示装置）３３と、第２特別図柄保留数表示装置（第２特図保留数表示装置）３４と、普通図柄表示装置（普図表示装置）３５と、普通図柄保留数表示装置（普図保留数表示装置）３６と、第１状態報知装置３７と、第２状態報知装置３８と、が配置されている。
【００２７】
第１特図表示装置３１および第２特図表示装置３２は、本実施例では、７セグメント表示装置として構成されており、各セグメントの点灯と消灯との組み合わせにより複数種類の表示態様を表現する。第１特図表示装置３１および第２特図表示装置３２は、始動口への遊技球の入球に基づいて表示態様を順次切り替えることにより特別図柄の変動表示を開始し、所定の変動時間が経過したときに予め定められた複数の停止表示態様の何れかで停止表示することにより特別図柄を停止表示する。そして、特別図柄が第１の停止表示態様（所定の大当り図柄）で停止表示されると、大当り遊技が実行され、特別図柄が第２の停止表示態様（所定の小当り図柄）で停止表示されると、小当り遊技が実行される。第１特図表示装置３１は、第１始動口２３への遊技球の入球に基づいて特別図柄を変動表示する表示装置であり、第２特図表示装置３２は、第２始動口２４および第３始動口２５のいずれかへの遊技球の入球に基づいて特別図柄を変動表示する表示装置である。なお、第１特図表示装置３１により表示される特別図柄を第１特別図柄（第１特図）とも呼び、第２特図表示装置３２により表示される特別図柄を第２特別図柄（第２特図）とも呼ぶ。
【００２８】
ここで、特別図柄の大当り図柄には、通常大当り図柄と、確変大当り図柄と、が含まれる。通常大当り図柄は、大当り遊技の終了後に、特別図柄の大当り確率（特図当り確率）が通常確率（低確率）に設定される低確率状態が発生する当り態様である。また、通常大当り図柄は、大当り遊技の終了後に、特別図柄の変動表示が所定回数（実施例では５０回）実行されるまで、普通図柄の当り確率（普図当り確率）が通常確率（低確率）よりも高確率に設定されると共に普通図柄の変動時間が短縮される時短状態（電サポあり状態）が発生する当り態様である。なお、特別図柄の変動表示が所定回数（５０回）実行されると、普図当り確率が通常確率（低確率）に設定されると共に普通図柄の変動時間が短縮されない非時短状態（電サポなし状態）となる。一方、確変大当り図柄は、大当り遊技の終了後の遊技状態として、特別図柄の変動表示が所定回数（実施例では１０，０００回）実行されるまで、特図当り確率が通常確率よりも高確率に設定される確変状態（高確率状態）が発生する当り態様である。また、確変大当り図柄においても、大当り遊技の終了後に特別図柄の変動表示が所定回数（実施例では５０回）実行されるまで電サポあり状態が発生するが、一部の確変大当り図柄の場合には、大当り遊技の終了後に電サポあり状態が発生せず、電サポなし状態となる。なお、確変状態では、特別図柄の変動表示が上記所定回数実行されるまで特別図柄（第２特別図柄）の変動時間が短縮される。このように、本実施例では、低確率状態且つ電サポなし状態（低確電サポなし状態、通常遊技状態）と、低確率状態且つ電サポあり状態（低確電サポあり状態、第１所定遊技状態）と、高確率状態且つ電サポなし状態（高確電サポなし状態、特定遊技状態）と、高確率状態且つ電サポあり状態（高確電サポあり状態、第２所定遊技状態）との４つの遊技状態がある。なお、後述するように、高確電サポなし状態では、他の遊技状態よりも小当り遊技が発生して大入賞口２６に遊技球が入球する頻度が高い状態となり、小当りラッシュ状態ともいう。
【００２９】
なお、第１特別図柄の変動表示中や大当り遊技中に、第１始動口２３に遊技球が入球した場合、第１特別図柄の変動表示を所定数（実施例では４回）まで保留し、現在の変動表示が終了した後に、保留している第１特別図柄の変動表示を順次開始する。第１特別図柄の保留数は、第１特図保留数表示装置３３に表示される。一方、第２特別図柄の変動表示中や大当り遊技中に、第２始動口２４や第３始動口２５に遊技球が入球した場合、第２特別図柄の変動表示を所定数（例えば、４回）まで保留し、現在の変動表示が終了した後に、保留している第２特別図柄の変動表示を順次開始する。第２特別図柄の保留数は、第２特図保留数表示装置３４に表示される。
【００３０】
普図表示装置３５は、本実施例では、当りの場合に点灯し外れの場合に消灯する第１表示部と、当りの場合に消灯し外れの場合に点灯する第２表示部と、を有するＬＥＤ表示装置として構成されている。普図表示装置３５は、普通図柄作動ゲート２２に設けられたゲートスイッチ２２ａが遊技球を検知したことに基づいて、第１表示部の点灯と第２表示部の点灯とを交互に繰り返すことにより普通図柄を変動表示し、所定の変動時間が経過すると、第１表示部および第２表示部の何れか一方を点灯し他方を消灯することにより普通図柄を停止表示する。普通図柄が当り図柄で停止表示されると、第２始動口２４が開放される。
【００３１】
なお、本実施例では、普通図柄の変動表示中に遊技球が普通図柄作動ゲート２２を通過したときには、普通図柄の変動表示を所定数（例えば、４個）まで保留し、現在の変動表示が終了したときに、保留している普通図柄の変動表示を順次開始する。普通図柄の保留数は、普図保留数表示装置３６に表示される。
【００３２】
第１状態報知装置３７および第２状態報知装置３８は、本実施例では、ＬＥＤ表示装置として構成されている。第１状態報知装置３７および第２状態報知装置３８は、遊技状態に応じて点灯または消灯し、点灯と消灯の組合せにより上述した４つの遊技状態、即ち低
確電サポなし状態と低確電サポあり状態と高確電サポなし状態と高確電サポあり状態のいずれであるかを報知する。なお、点灯と消灯の組合せの態様については、後述する。
【００３３】
演出図柄表示装置４０は、液晶ディスプレイ等により構成される画像表示装置であり、表示画面上で特別図柄に対応する演出図柄（疑似図柄）４１Ｌ，４１Ｃ，４１Ｒの表示の他、リーチ演出や予告演出、キャラクタ演出（キャラクタ４３の表示）等の様々な演出表示を行なう。図５は、演出図柄表示装置４０の演出表示の一例を示す説明図である。図示するように、演出図柄表示装置４０の表示画面の中央部には、数字や英字、文字、記号、キャラクタ等からなる左，中，右の３つの演出図柄４１Ｌ，４１Ｃ，４１Ｒが表示される。３つの演出図柄４１Ｌ，４１Ｃ，４１Ｒは、始動口（第１始動口２３、第２始動口２４または第３始動口２５）に遊技球が入球すると、上から下へスクロールするように変動表示され、所定の変動時間が経過すると、左，右，中の順に停止表示される。右の演出図柄４１Ｒが停止表示されたときに当該右の演出図柄４１Ｒが左の演出図柄４１Ｌと一致しなかったときには、外れ（通常外れ）となる。一方、右の演出図柄４１Ｒが左の演出図柄４１Ｌと一致したときには、リーチとなり、リーチ演出に移行する。そして、当該リーチ演出を経て中の演出図柄４１Ｃが停止表示されたときに当該中の演出図柄４１Ｃが左右の演出図柄４１Ｌ，４１Ｒと一致しなかったときには、外れとなり（リーチ外れ）、中の演出図柄４１Ｃが左右の演出図柄４１Ｌ，４１Ｒと一致したときには、大当りとなる。また、３つの演出図柄４１Ｌ，４１Ｃ，４１Ｒが特定の組み合わせで停止表示されると、小当りとなる。
【００３４】
演出図柄４１Ｌ，４１Ｃ，４１Ｒは、現在の遊技状態が低確電サポなし状態（通常状態）のときには、基本的には第１特別図柄の変動表示に対応して変動表示される。そして、演出図柄４１Ｌ，４１Ｃ，４１Ｒは、第１特別図柄が外れ図柄で確定表示されるときには、通常外れまたはリーチ外れの組み合わせで確定表示され、第１特別図柄が大当り図柄で確定表示されるときには、大当りの組み合わせで確定表示される。一方、演出図柄４１Ｌ，４１Ｃ，４１Ｒは、現在の遊技状態が低確電サポあり状態や高確電サポあり状態、高確電サポなし状態（小当りラッシュ状態）のときには、基本的には第２特別図柄の変動表示に対応して変動表示される。そして、演出図柄４１Ｌ，４１Ｃ，４１Ｒは、第２特別図柄が外れ図柄で確定表示されるときには、通常外れまたはリーチ外れの組み合わせで確定表示され、第２特別図柄が大当り図柄で確定表示されるときには、大当りの組み合わせで確定表示され、第２特別図柄が小当り図柄で確定表示されるときには、小当りの組み合わせで確定表示される。
【００３５】
また、演出図柄表示装置４０の表示画面内には、図５に示すように、保留図柄４２も表示される。保留図柄４２は、現在の遊技状態が低確電サポなし状態のときには、第１特別図柄の保留記憶に対応する図柄となる。すなわち、現在の遊技状態が低確電サポなし状態のときには、第１特別図柄の変動表示中に第１始動口２３に遊技球が入球する毎に右側から順に１つずつ追加表示され、第１特別図柄の変動表示が開始される毎に始動入球時とは逆側から１つずつ消去される。また、保留図柄４２は、現在の遊技状態が低確電サポあり状態や高確電サポあり状態、高確電サポなし状態のときには、第２特別図柄の保留記憶に対応する図柄となる。すなわち、遊技状態が低確電サポあり状態や高確電サポあり状態、高確電サポなし状態のときには、第２特別図柄の変動表示中に第２始動口２４や第３始動口２５に遊技球が入球する毎に右側から順に１つずつ追加表示され、第２特別図柄の変動表示が開始される毎に始動入球時とは逆側から１つずつ消去される。
【００３６】
［制御回路の構成］
また、パチンコ機１は、図４に示すように、その制御回路として、主制御装置６０と、払出制御装置７０と、発射制御装置８０と、サブ統合制御装置９０と、演出表示制御装置９１と、電源基板９５（図２参照）と、を備える。主制御装置６０は、ＣＰＵ６０ａを中
心としたマイクロプロセッサとして構成され、ＣＰＵ６０ａの他に、処理プログラムやテーブルを記憶するＲＯＭ６０ｂ，処理プログラムの実行に際してデータを一時的に記憶するＲＡＭ６０ｃ，入出力ポート，通信ポートなどを備える。なお、図示しないが、払出制御装置７０や発射制御装置８０も同様に、ＣＰＵを中心としたマイクロプロセッサとして構成され、ＣＰＵの他に、ＲＯＭ，ＲＡＭ，入出力ポート，通信ポートなどを備える。また、パチンコ機１には外部接続端子６５が設けられており、外部接続端子６５により遊技状態に関する各種外部情報（信号）がホールコンピュータ１００（図４参照）などの外部装置へ送信される。
【００３７】
主制御装置６０は、遊技の基本的な進行の制御を行なうものである。図４に示すように、主制御装置６０には、前面枠３の開放を検知する前面枠開放スイッチ３ａや、内枠５の開放を検知する内枠開放スイッチ５ａ等からの検知信号が裏配線中継端子板６４を介して入力される。また、主制御装置６０には、普通図柄作動ゲート２２への遊技球の通過を検知するゲートスイッチ２２ａや、第１始動口２３への遊技球の入球を検知する第１始動口スイッチ２３ａ、第２始動口２４への遊技球の入球を検知する第２始動口スイッチ２４ａ、第３始動口２５への遊技球の入球を検知する第３始動口スイッチ２５ａ、大入賞口２６への遊技球の入球を検知する大入賞口スイッチ２６ａ、普通入賞口２８への遊技球の入球を検知する普通入賞口スイッチ２８ａ等からの検知信号が遊技盤中継端子板６１を介して入力される。さらに、主制御装置６０には、設定キースイッチ６７やＲＡＭクリアスイッチ６８からの操作信号が入力され、設定キースイッチ６７やＲＡＭクリアスイッチ６８を用いた設定内容を設定表示装置（性能表示装置）６９に表示可能となっている。
【００３８】
設定キースイッチ６７やＲＡＭクリアスイッチ６８、設定表示装置６９は、図２に示すように、パチンコ機１の裏側の主制御装置６０に設けられる。設定キースイッチ６７は、特別図柄の大当り確率などの各種設定を行なう際に操作されるスイッチである。また、ＲＡＭクリアスイッチ６８はＲＡＭクリアを実行するためのスイッチであり、遊技ホールの管理者（店員）は、ＲＡＭクリアスイッチ６８を押下した状態で電源を投入することでＲＡＭクリアを実行することができる。本実施例では、各種設定を行なう際の設定値の選択にもＲＡＭクリアスイッチ６８が用いられる。設定表示装置６９は、７セグメント表示装置として構成されており、各種設定における設定値やパチンコ機１の性能、エラー発生時のエラーコードなどを表示する。ここで、本実施例では、特別図柄の大当り確率としてそれぞれ異なる確率が定められた３つの設定値１〜３の何れかを選択してセット可能となっている。遊技ホールの管理者は、所定の鍵を設定キースイッチ６７に挿入して回転させることで、設定値の変更が可能な状態とすると、現在の大当り確率の設定値１〜３に対応する「１」〜「３」のいずれかの数字が設定表示装置６９に表示される。また、設定表示装置６９は、ＲＡＭクリアスイッチ６８が押下される度に「１」〜「３」の数字を順番に表示する。このため、管理者は、設定表示装置６９に表示される数字が所望の設定値に対応する数字となるようにＲＡＭクリアスイッチ６８を押下して所望の設定値を選択し、設定キースイッチ６７に挿入した鍵を回転させて初期位置に戻すことにより、選択した設定値（設定値１〜３の何れか）を確定して特別図柄の大当り確率としてセットすることができる。なお、本実施例では、設定キースイッチ６７およびＲＡＭクリアスイッチ６８を用いて設定値の選択およびセットを行なう構成としたが、例えば、回転つまみ等、外部から操作できるものであれば、他の如何なる操作手段を用いて設定値の選択やセットを行なう構成であってもよく、設定値を選択する専用のスイッチを設ける構成であってもよい。また、パチンコ機１は、設定値を設定表示装置６９に表示するものとしたが、他の表示装置に表示してもよいし、音声により報知してもよい。また、設定値１〜３の３つに限られず、複数の設定値のうちから選択可能なものであれば幾つであっても構わない。
【００３９】
また、主制御装置６０からは、第２始動口ソレノイド２４ｃや大入賞口ソレノイド２６ｃ等への駆動信号が遊技盤中継端子板６１を介して出力される。また、主制御装置６０か
らは、第１特図表示装置３１や第２特図表示装置３２、第１特図保留数表示装置３３、第２特図保留数表示装置３４、普図表示装置３５、普図保留数表示装置３６、第１状態報知装置３７と、第２状態報知装置３８等への表示信号が図柄表示装置中継端子板６２を介して出力される。さらに、主制御装置６０からは、ホールコンピュータ１００などの外部装置への外部情報（信号）が裏配線中継端子板６４および外部接続端子板６５を介して出力される。
【００４０】
払出制御装置７０は、賞球や貸球の払い出しに関する制御を司るものである。この払出制御装置７０には、上受け皿１１に払い出す遊技球を貯留するための図示しない球タンクの球切れを検知する球切れスイッチ７６からの検知信号が裏配線中継端子板６４を介して入力され、上受け皿１１に払い出される遊技球を検知する払出スイッチ７４からの検知信号が払出中継端子板７１および裏配線中継端子板６４を介して入力され、下受け皿１２の満杯を検知する満杯スイッチ７５からの検知信号が直接に入力される。一方、払出制御装置７０からは、払出モータ７３への駆動信号が裏配線中継端子板６４および払出中継端子板７１を介して出力される。払出制御装置７０は、主制御装置６０と双方向通信が可能に構成されており、主制御装置６０から送信されるコマンドに従って払出モータ７３を駆動して賞球の払い出しを行なう。払出制御装置７０は、球切れスイッチ７６および満杯スイッチ７５の何れかから検知信号を入力すると、その検知の状況が解消して検知信号を入力しなくなるまで、払出モータ７３を駆動停止し、賞球の払出動作を中断する。
【００４１】
また、払出制御装置７０は、ＣＲユニット端子板５１を介してＣＲユニット５０と通信可能に構成されている。ＣＲユニット端子板５１は精算表示装置５２と双方向通信が可能に構成されており、払出制御装置７０には、精算表示装置５２に設けられた球貸スイッチ５３ａや精算スイッチ５４ａからの検知信号がＣＲユニット端子板５１を介して入力される。なお、球貸スイッチ５３ａは、球貸ボタン５３の操作を検知して検知信号を出力するものであり、精算スイッチ５４ａは、精算ボタン５４の操作を検知して検知信号を出力するものである。払出制御装置７０は、球貸コマンドを入力すると、払出モータ７３を駆動して貸球の払い出しを行なう。また、払出制御装置７０は、発射制御装置８０とも双方向通信が可能に構成され、満杯スイッチ７５から検知信号を入力する等の所定の発射停止条件が成立したときに、発射制御装置８０に対して発射停止コマンドを送信する。
【００４２】
発射制御装置８０は、遊技領域２１への遊技球の発射に関する制御を司るものである。この発射制御装置８０には、発射ハンドル１３の回動操作に応じて出力される回動量信号や、発射停止ボタンの操作を検知する発射停止スイッチ８１からの発射停止信号、遊技者が発射ハンドル１３に触れていることを検知するタッチスイッチ８２からのタッチ信号等が入力される。一方、発射制御装置８０からは、発射モータ８３への駆動信号が出力される。発射制御装置８０は、回動量信号に基づいて遊技球が遊技領域２１へ発射されるよう発射モータ８３を制御する。なお、発射制御装置８０は、タッチ信号を入力していないときや発射停止コマンドを入力しているときには、発射ハンドル１３の操作に拘わらず発射モータ８３の駆動を停止し、遊技球を発射させない。
【００４３】
サブ統合制御装置９０は、遊技の演出に関する制御を司るものである。サブ統合制御装置９０は、ＣＰＵ９０ａを中心としたマイクロプロセッサとして構成され、ＣＰＵ９０ａの他に、ＲＯＭ９０ｂ，ＲＡＭ９０ｃ，入出力ポート，通信ポートなどを備える。このサブ統合制御装置９０は、演出中継端子板６３を介して主制御装置６０から一方向通信により各種コマンドを受信可能となっており、受信したコマンドに応じた演出制御を行なう。サブ統合制御装置９０には、演出ボタン１６の操作を検知する演出ボタンスイッチ１６ａからの検知信号が入力される。一方、サブ統合制御装置９０からは、スピーカ１４への音声信号や各種ＬＥＤやランプ１５への点灯信号が出力される。また、サブ統合制御装置９０からは、演出表示制御装置９１への演出表示制御用のコマンドが一方向通信により出力
される。演出表示制御装置９１は、サブ統合制御装置９０からの演出表示制御用のコマンドを受信し、そのコマンドに応じた演出画像が演出図柄表示装置４０に表示されるよう当該演出図柄表示装置４０の表示制御を行なう。
【００４４】
電源基板９５は、外部のＡＣ電源からの交流電圧を直流電圧に変換する直流電源であり、図示しない電源スイッチの操作によってパチンコ機１の各部に電力を供給する。電源基板９５は、コンデンサ等により構成されるバックアップ電源を備え、ＡＣ電源から供給される電力をバックアップ電源に蓄電する。これにより、ＡＣ電源からの電力の供給が遮断される停電時に、バックアップ電源からの電力が主制御装置６０のＲＡＭ６０ｃ等に供給され、主制御装置６０のＲＡＭ６０ｃ内のデータ等が一定時間に亘って保持される。
【００４５】
［パチンコ機１の遊技の概要］
次に、こうして構成されたパチンコ機１における遊技の概要について説明する。図６は、パチンコ機１の仕様を説明する説明図である。本実施例のパチンコ機１では、特別図柄の大当り確率は、第１特別図柄と第２特別図柄で同じ確率となっており、設定値１の通常遊技状態（低確率状態）では１／３１９．９、確変遊技状態（高確率状態）では１／７４．６であり、設定値２の通常遊技状態では１／２９９．４、確変遊技状態では１／６９．９であり、設定値３の通常遊技状態では１／２８１．３、確変遊技状態では１／６５．６である。大当りが発生した後に遊技状態が確変遊技状態に移行する確率は、第１特別図柄，第２特別図柄ともに６０％であり、当該確変遊技状態は、特別図柄の変動表示の回数が１０，０００回に達するまで、すなわち実質的に次に大当りを引くまで継続する。また、第２特別図柄の当り図柄には、小当りも含まれており、小当りは、遊技状態に拘わらず高い確率（１／１０．０）で発生する。なお、小当りが発生しても、その前後において遊技状態は変化しない。低確電サポなし状態（通常遊技状態）では、第１特別図柄の平均変動時間は１０秒であり、第２特別図柄の平均変動時間は１０分である。一方、低確電サポあり状態や高確電サポあり状態などの時短状態や、高確電サポなし状態の確変状態では、第１特別図柄の平均変動時間および第２特別図柄の平均変動時間はいずれも３秒である。第１特別図柄および第２特別図柄の変動表示は、共に４個まで保留され、第１特別図柄の変動表示と第２特別図柄の変動表示とは並行して行なわれる（同時変動）。なお、入賞口への遊技球の入賞により付与される賞球の数は、第１始動口２３で４個，第２始動口２４で１個，第３始動口２５で１個，普通入賞口２８で３個，大入賞口２６で１３個である。
【００４６】
また、普通図柄の当選確率は、電サポなし状態では殆ど０％であり、電サポあり状態では１００％である。普通図柄が当選すると、第２始動口２４が最大３．０秒間、１回開放される。なお、電サポあり状態の普通図柄の当選確率は、必ずしも１００％である必要はないが、１００％に近い確率とするのが好適である。普通図柄の変動時間は、電サポなし状態では２秒であり、電サポあり状態で１秒である。
【００４７】
こうした仕様のパチンコ機１において、低確電サポなし状態（通常遊技状態）で遊技者が左打ちすることにより第１始動口２３に遊技球が入球すると、第１特別図柄の変動表示が開始される。そして、第１特別図柄が大当り図柄で停止表示されると、大当りとなり、大入賞口２６が開放される大当り遊技が実行される。なお、大当り遊技は、大入賞口２６を所定の開放パターンで開放するラウンド遊技をインターバルを挟んで複数回実行することによって行なう。大入賞口２６は、左打ちでは遊技球の入球が不能であり、右打ちすることにより遊技球の入球が可能となる。したがって、大当り遊技が実行されると、遊技者は右打ちすることにより大当り遊技が消化されることになる。なお、低確電サポなし状態で遊技者が右打ちすることにより、第２始動口２４や第３始動口２５への入球を狙うことは可能である。しかし、第２始動口２４は、普通図柄作動ゲート２２への遊技球の通過により普通図柄が当りで停止表示されると開放されるが、低確電サポなし状態では普通図柄は当りとなることは殆どないから、第２始動口２４に入球させることは困難である。また
、第３始動口２５は常時開放であるから遊技球を入球させることは可能であるが、通常遊技状態の第２特別図柄の平均変動時間は１０分と長く、第２特別図柄を頻繁に変動表示させることができない。このため、第１始動口２３を狙って左打ちした方が、第２始動口２４や第３始動口２５を狙って右打ちするよりも、特別図柄の変動効率が高く、遊技者にとって有利である。なお、本実施例では、遊技状態が低確電サポなし状態であるにも拘わらず、普通図柄作動ゲート２２に設けられたゲートスイッチ２２ａが遊技球を検知（すなわち遊技者による右打ちを検知）すると、所定の警告（スピーカ１４への警告音の出力や演出図柄表示装置４０への警告メッセージの表示など）が出力される。
【００４８】
低確電サポなし状態（通常遊技状態）において大当りに当選し、大当り遊技の終了後に電サポあり状態（低確電サポあり状態や高確電サポあり状態）へ移行すると、電サポなし状態（低確電サポなし状態や高確電サポなし状態）に比して普通図柄の当り確率が高くなって１００％当りになり、普通図柄や特別図柄の変動時間も短くなる。したがって、遊技者は右打ちすることにより第２始動口２４に遊技球を入球させて第２特別図柄を頻繁に変動表示させることができる。なお、電サポあり状態では、第２始動口２４に遊技球が入球し易くなるため、第３始動口２５には遊技球が入球し難くなるから、基本的には第２始動口２４に遊技球を入球させて第２特別図柄で遊技を進行させることになる。同様の理由で、電サポあり状態では、第２始動口２４よりも下流側に配置された大入賞口２６に遊技球が入球し難くなるため、電サポあり状態中に第２特別図柄の小当りに当選しても、大入賞口２６に遊技球を入球させて小当り遊技の賞球を獲得するのは困難である。ただし、電サポあり状態では、右打ちした遊技球を第２始動口２４に容易に入球させることができるから、持ち玉（遊技球）が減少するスピードを抑えた有利な遊技状態ということができる。電サポあり状態は、大当り遊技（特図２＿確変大当り図柄Ｂを除く）の終了後に、特別図柄の変動表示が所定回数（例えば５０回）行なわれるまで継続し、特別図柄の変動表示が所定回数行なわれると、電サポなし状態（低確電サポなし状態や高確電サポなし状態）となる。
【００４９】
高確電サポあり状態から高確電サポなしへ移行した場合や、特図２＿確変大当り図柄Ｂに当選し、大当り遊技の終了後に高確電サポなし状態へ移行した場合には、低確率状態（低確電サポあり状態や低確電サポなし状態）に比して特別図柄の大当り確率が高くなり、低確電サポあり状態に比して第２特別図柄の平均変動時間が３秒と短くなる。また、電サポなし状態であるため、普通図柄の当り確率が低く第２始動口２４が開放されることは殆どない。したがって、遊技者は右打ちすることにより第３始動口２５に遊技球を入球させて第２特別図柄を頻繁に変動表示させることができる。そして、第２特別図柄は高い確率（実施例では１／１０．０）で小当りが発生し、第２始動口２４の開放により大入賞口２６への遊技球の入球が阻害されることもないため、遊技者は右打ちを続けることにより、小当り遊技を頻繁に発生させて大入賞口２６に遊技球を入球させることができ、徐々に持ち球を増やすことができる。この遊技状態を小当りラッシュ状態（ＲＵＳＨモード）という。高確率状態は、本実施例では、実質的に次に大当りを引くまで継続し、高確率状態中に確変大当りに当選すると、大当り遊技の終了後の遊技状態は、高確率状態（高確電サポなし状態や高確電サポあり状態）となり、高確率状態中に通常大当りに当選すると、大当り遊技の終了後の遊技状態は、低確率状態（低確電サポあり状態）となって小当りラッシュ状態が終了する。大当り遊技終了後に高確電サポあり状態となり特別図柄の変動表示が所定回数（例えば５０回）行なわれると、高確電サポなし状態となって小当りラッシュ状態が発生する。また、大当り遊技終了後に低確電サポあり状態となり特別図柄の変動表示が所定回数（例えば５０回）行なわれると、低確電サポなし状態となって小当りラッシュ状態は発生しない。このように、高確率状態では、通常大当りに当選するまで、大当り遊技による賞球と小当りラッシュによる賞球とを継続的に獲得することができる。
【００５０】
［主制御処理］
次に、パチンコ機１の動作、特に主制御装置６０の動作についてさらに詳細に説明する。図７は、主制御装置６０のＣＰＵ６０ａにより実行される主制御処理の一例を示すフローチャートである。この処理は、パチンコ機１の電源スイッチが操作されたときに実行される。主制御処理は、パチンコ機１の電源投入に必要な電源投入処理を実行した後（Ｓ１０）、乱数更新処理（Ｓ２０）と、入賞確認処理（Ｓ３０）と、始動入賞処理（Ｓ４０）と、普通図柄遊技処理（Ｓ５０）と、普通図柄当り遊技処理（Ｓ６０）と、第１特別図柄遊技処理（Ｓ７０）と、第２特別図柄遊技処理（Ｓ８０）と、大当り遊技（特別遊技）処理（Ｓ９０）と、小当り遊技処理（Ｓ９５）と、を繰り返し実行することにより行なわれる。なお、本実施例では、Ｓ２０〜Ｓ９５の処理に要する時間は約２ｍｓｅｃであり、これらの処理は、約２ｍｓｅｃの間隔で繰り返し実行される。主制御装置６０は、主制御処理の実行により、各種コマンドを担当する制御装置に送信してコマンドに応じた処理を実行させることで、パチンコ機１の全体の遊技を進行させている。
【００５１】
［電源投入処理］
図８は、電源投入処理の一例を示すフローチャートである。Ｓ１０の電源投入処理では、主制御装置６０のＣＰＵ６０ａは、まず、セキュリティチェックが完了し、ＲＡＭ６０ｃへのアクセスが許可されると（Ｓ１００）、バックアップフラグがＯＦＦであるか否か（Ｓ１０２）、ＲＡＭクリア信号がＯＦＦであるか否か（Ｓ１０４）、をそれぞれ判定する。バックアップフラグがＯＦＦであると判定するか、バックアップフラグはＯＮであるがＲＡＭクリア信号がＯＮであると判定すると、初期状態から起動する。即ち、まず、スタックの設定処理を行なう（Ｓ１０６）。続いて、設定キースイッチ６７およびＲＡＭクリアスイッチ６８を用いてセットされた大当り確率の設定値などの各種設定値を読み出し（Ｓ１０８）、ＲＡＭ６０ｃの作業領域をクリアして初期化する初期化処理を行なう（Ｓ１１０）。上述したように、ＲＡＭクリアスイッチ６８が操作されながら電源オンされていれば、ＲＡＭクリアした状態となり、設定値１〜３の中からセットされた一の設定値が有効化される。そして、払出制御装置７０とサブ統合制御装置９０とにそれぞれ対応する初期コマンドを送信し（Ｓ１１２）、電源復帰時の点灯態様に基づき低確電サポなし状態に応じて第１状態報知装置３７および第２状態報知装置３８を消灯させたまま（Ｓ１１４）、電源投入処理を終了する。一方、Ｓ１０２，Ｓ１０４でバックアップフラグがＯＮで且つＲＡＭクリア信号がＯＦＦであると判定すると、電源遮断直前の状態から起動する。即ち、ＲＡＭ６０ｃに記憶保持された遊技情報を読み出し、当該遊技情報に従って遊技を再開する電源復帰処理を行なう（Ｓ１１６）。電源遮断直前の遊技情報は、電源遮断直前に進行していた遊技の状態を示す情報であり、当該遊技情報には、入球数や保留数、特別遊技、遊技状態に関する情報が含まれる。また、電源復帰時の点灯態様に基づき遊技状態に応じて第１状態報知装置３７および第２状態報知装置３８を点灯または消灯させて（Ｓ１１８）、電源投入処理を終了する。電源投入処理を終了すると、主制御処理に戻って次の乱数更新処理（Ｓ２０）に進む。
【００５２】
ここで、図９は、状態報知装置の点灯態様の一例を示す説明図である。図９（ａ）は電源復帰時の点灯態様であり、図９（ｂ）は遊技中の点灯態様である。図８の電源投入処理時は、図９（ａ）の点灯態様に基づき現在の遊技状態（電源遮断直前の遊技状態）に応じて第１状態報知装置３７および第２状態報知装置３８を点灯または消灯させる。電源復帰時の点灯態様では、低確電サポなし状態で第１状態報知装置３７と第２状態報知装置３８とが共に消灯する態様とし、低確電サポあり状態で第１状態報知装置３７が点灯し第２状態報知装置３８が消灯する態様とし、高確電サポなし状態で第１状態報知装置３７が消灯し第２状態報知装置３８が点灯する態様とし、高確電サポあり状態で第１状態報知装置３７と第２状態報知装置３８とが共に点灯する態様とする。なお、各始動口への始動入賞が検出されたなど遊技開始以降は、図９（ｂ）の点灯態様に基づいて第１状態報知装置３７および第２状態報知装置３８を点灯または消灯させることになり、詳細は後述する。
【００５３】
［乱数更新処理］
Ｓ２０の乱数更新処理は、各種判定用乱数を更新する処理である。判定用乱数としては、例えば、始動口（第１始動口２３、第２始動口２４または第３始動口２５）への遊技球の入球に基づいて行なわれる大当り判定（当否判定）に用いる大当り判定用乱数（特別図柄当否判定用乱数）や、大当り判定の結果が大当りであった場合に特図表示装置（第１特図表示装置３１または第２特図表示装置３２）に停止表示させる大当り図柄の決定に用いる大当り図柄決定用乱数，大当り判定の結果が外れであった場合に特図表示装置（第１特図表示装置３１または第２特図表示装置３２）に停止表示させる外れ図柄の決定に用いる外れ図柄決定用乱数、特別図柄の変動表示パターン（変動時間）の決定に用いる変動パターン決定用乱数、普通図柄作動ゲート２２への遊技球の通過に基づいて行なわれる当否判定に用いる普通図柄当否判定用乱数などを挙げることができる。乱数更新処理を終了すると、主制御処理に戻って次の入賞確認処理（Ｓ３０）に進む。
【００５４】
［入賞確認処理］
Ｓ３０の入賞確認処理は、各種センサ（ゲートスイッチ２２ａや第１始動口スイッチ２３ａ、第２始動口スイッチ２４ａ、第３始動口スイッチ２５ａ、大入賞口スイッチ２６ａ、普通入賞口スイッチ２８ａなど）の状態を検出してＲＡＭ６０ｃの所定の状態記憶領域に保存する。そして、上述のスイッチのうち賞球に関わるスイッチ（第１始動口スイッチ２３ａや第２始動口スイッチ２４ａ、第３始動口スイッチ２５ａ、大入賞口スイッチ２６ａ、普通入賞口スイッチ２８ａ）により遊技球が検知されたか否かを判定し、検知されたと判定すると、払い出すべき賞球数を演算して賞球情報としてＲＡＭ６０ｃの所定の賞球情報記憶領域に保存する。そして、賞球情報が値０でないときには賞球数指定コマンド（賞球情報）を払出制御装置７０に送信して入賞確認処理を終了する。払出制御装置７０は、賞球数指定コマンドを受信すると、払出モータ７３を駆動して遊技球を１球ずつ払い出すと共に払出スイッチ７４により払い出した遊技球が検知される度に賞球情報（未払いの遊技球数）を値１ずつデクリメントする賞球払出処理を実行する。この賞球払出処理は、賞球情報が値０となるまで繰り返し実行されるが、遊技球の入球が検知されて主制御装置６０から新たな賞球数指定コマンドを受信すると、その賞球情報も値０となるまで処理が繰り返される。入賞確認処理を終了すると、主制御処理に戻って次の始動入賞処理（Ｓ４０）に進む。
【００５５】
［始動入賞処理］
図１０は、始動入賞処理の一例を示すフローチャートである。Ｓ４０の始動入賞処理では、主制御装置６０のＣＰＵ６０ａは、まず、第１始動口スイッチ２３ａからの検知信号を入力して第１始動口２３に遊技球が入球したか否かを判定する（Ｓ２００）。第１始動口２３に遊技球が入球したと判定すると、現在の第１特別図柄の保留数（第１特図保留数）がその上限数（本実施例では、値４）よりも少ないか否かを判定する（Ｓ２０２）。第１特別図柄の保留数が上限数よりも少ないと判定したときには、第１特別図柄の保留数を値１だけインクリメントすると共に第１特図保留数表示装置３３の表示を更新し（Ｓ２０４）、第１特別図柄の判定用乱数を取得してＲＡＭ６０ｃの所定の判定用乱数記憶領域に格納する（Ｓ２０６）。ここで、Ｓ２０６で取得される判定用乱数としては、上述した大当り判定用乱数や大当り図柄決定用乱数、外れ図柄決定用乱数など第１特別図柄の変動遊技の進行に関する情報を挙げることができる。次に、第１特別図柄保留数指示コマンドをサブ統合制御装置９０に送信して（Ｓ２０８）、Ｓ２１０の処理に進む。第１特別図柄保留数指示コマンドには、演出図柄表示装置４０に保留図柄４２を表示させるための第１特別図柄の保留数に関する情報が含まれる。なお、Ｓ２００で第１始動口２３に遊技球が入球していないと判定したり、Ｓ２０２で第１特別図柄の保留数が上限数に達していると判定すると、Ｓ２０４〜Ｓ２０８の処理をスキップして次のＳ２１０の処理に進む。
【００５６】
次に、第２始動口スイッチ２４ａや第３始動口スイッチ２５ａからの検知信号を入力し
て第２始動口２４や第３始動口２５に遊技球が入球したか否かを判定する（Ｓ２１０）。第２始動口２４や第３始動口２５に遊技球が入球したと判定すると、現在の第２特別図柄の保留数（第２特図保留数）がその上限数（本実施例では、値４）よりも少ないか否かを判定する（Ｓ２１２）。第２特別図柄の保留数が上限数よりも少ないと判定したときには、第２特別図柄の保留数を値１だけインクリメントすると共に第２特図保留数表示装置３４の表示を更新し（Ｓ２１４）、第２特別図柄の判定用乱数を取得してＲＡＭ６０ｃの所定の判定用乱数記憶領域に格納する（Ｓ２１６）。ここで、Ｓ２１６で取得される判定用乱数としては、上述した大当り判定用乱数や大当り図柄決定用乱数、外れ図柄決定用乱数など第２特別図柄の変動遊技の進行に関する情報を挙げることができる。次に、第２特別図柄保留数指示コマンドをサブ統合制御装置９０に送信して（Ｓ２１８）、Ｓ２２０の処理に進む。第２特別図柄保留数指示コマンドには、演出図柄表示装置４０に保留図柄４２を表示させるための第２特別図柄の保留数に関する情報が含まれる。なお、Ｓ２１０で第２始動口２４や第３始動口２５に遊技球が入球していないと判定したり、Ｓ２１２で第２特別図柄の保留数が上限数に達していると判定すると、Ｓ２１４〜Ｓ２１８の処理をスキップして次のＳ２２０の処理に進む。
【００５７】
次に、ゲートスイッチ２２ａからの検知信号を入力して普通図柄作動ゲート２２を遊技球が通過したか否かを判定する（Ｓ２２０）。普通図柄作動ゲート２２を遊技球が通過したと判定すると、現在の普通図柄の保留数がその上限数（例えば、値４）よりも少ないか否かを判定する（Ｓ２２２）。普通図柄の保留数が上限数よりも少ないと判定したときには、普通図柄の保留数を値１だけインクリメントすると共に普図保留数表示装置３６の表示を更新する（Ｓ２２４）。次に、普通図柄の判定用乱数を取得してＲＡＭ６０ｃの所定の判定用乱数記憶領域に格納する（Ｓ２２６）。なお、普通図柄の判定用乱数としては、上述した普通図柄当否判定用乱数などの普通図柄の変動遊技の進行に関する情報を例示することができる。そして、普通図柄保留数指示コマンドをサブ統合制御装置９０に送信して（Ｓ２２８）、始動入賞処理を終了する。Ｓ２２０で普通図柄作動ゲート２２を遊技球が通過していないと判定したり、Ｓ２２２で普通図柄の保留数が上限値に達していると判定すると、Ｓ２２４〜２２８の処理をスキップして、始動入賞処理を終了する。始動入賞処理を終了すると、主制御処理に戻って次の普通図柄遊技処理（Ｓ５０）に進む。
【００５８】
［普通図柄遊技処理］
Ｓ５０の普通図柄遊技処理では、主制御装置６０のＣＰＵ６０ａは、まず、普通図柄の保留数が値０よりも多いか否かを判定する。保留数が値０であると判定すると、普通図柄遊技処理を終了する。一方、保留数が値０よりも多いと判定したときには保留数を値１だけデクリメントして普通図柄の当否判定を行なうと共に当否判定の結果に基づいて停止表示させる普通図柄（停止図柄）を決定する。普通図柄の当否判定は、普通図柄作動ゲート２２を遊技球が通過することに基づいて取得される普通図柄当否判定用乱数と普通図柄当り判定テーブルに含まれる当り値とを比較することにより行ない、普通図柄当否判定用乱数がいずれかの当り値と一致したときには当りと判定し、普通図柄当否判定用乱数がいずれの当り値とも一致しなかったときには外れと判定する。本実施例では、電サポなし状態（低確電サポなし状態や高確電サポなし状態）では、普通図柄の当選確率は殆ど０％であり、電サポあり状態（低確電サポあり状態や高確電サポあり状態）では、普通図柄の当選確率は１００％である。そして、当否判定の結果、当りと判定すると、普通図柄の停止図柄として当り図柄を決定し、外れと判定すると、普通図柄の停止図柄として外れ図柄を決定する。普通図柄の停止図柄を設定すると、普通図柄の変動時間（１秒や２秒など）を設定して普通図柄の変動表示を開始し、変動時間が経過すると、決定した停止図柄で普通図柄を停止表示する。停止表示した普通図柄が外れ図柄のときには、外れとして、普通図柄遊技処理を終了する。一方、停止表示した普通図柄が当り図柄のときには、当りとして、第２始動口２４の開放時間を設定し、第２始動口２４の開放作動を開始して普通図柄遊技処理を終了する。第２始動口２４の開放時間は、電サポなし状態では、０．５秒に設定さ
れ、電サポあり状態では、３．０秒に設定される。もっとも、電サポなし状態では、普通図柄が当り図柄で停止表示することは殆どないから第２始動口２４が開放されることは殆どない。第２始動口２４の開放作動は、上述したように、第２始動口ソレノイド２４ｃを駆動制御することによって、開閉板２４ｂを盤面内に引き込むことにより行なう。普通図柄遊技処理を終了すると、主制御処理に戻って次の普通図柄当り遊技処理（Ｓ６０）に進む。
【００５９】
［普通図柄当り遊技処理］
Ｓ６０の普通図柄当り遊技処理では、主制御装置６０のＣＰＵ６０ａは、第２始動口２４が開放作動中であるか否かを判定する。第２始動口２４が開放作動中でないと判定すると、普通図柄当り遊技処理を終了する。一方、第２始動口２４が開放作動中であると判定すると、開放作動を開始してからの経過時間（開放時間）が普通図柄遊技処理で設定された設定時間（０．５秒または３．０秒）に達しているか否か、規定数（実施例では９個）の遊技球が第２始動口２４に入球しているか否かを判定する。開放時間が設定時間に達しておらず規定数の遊技球が第２始動口２４に入球してもいないと判定すると、第２始動口２４の開放作動を維持したまま普通図柄当り遊技処理を一旦終了する。一方、開放時間が設定時間に達していると判定したり、開放時間が設定時間に達する前であっても既に規定数の遊技球が第２始動口２４に入球していると判定すると、第２始動口２４の開放作動を終了（第２始動口ソレノイド２４ｃの駆動を終了）して、普通図柄当り遊技処理を終了する。普通図柄当り遊技処理を終了すると、主制御処理に戻って次の第１特別図柄遊技処理（Ｓ７０）に進む。
【００６０】
［第１特別図柄遊技処理］
図１１および図１２は、第１特別図柄遊技処理の一例を示すフローチャートである。Ｓ７０の第１特別図柄遊技処理では、主制御装置６０のＣＰＵ６０ａは、まず、特別電動役物が作動中であるか否か、すなわち大当り遊技中または小当り遊技中であるか否かを判定する（Ｓ３００）。特別電動役物が作動中であると判定すると、第１特別図柄遊技処理を終了する。本実施例では、第１特別遊技処理を終了すると、主制御処理に戻って第２特別図柄遊技処理（Ｓ８０）に進むが、第２特別図柄遊技処理においても後述するＳ４００で特別電動役物が作動中と判定されて第２特別図柄遊技処理が終了するため、次の大当り遊技（特別遊技）処理（Ｓ９０）に進む。なお、第２特別図柄遊技処理をスキップして大当り遊技処理に直接進むものとしてもよい。一方、特別電動役物が作動中でないと判定すると、第１特別図柄が変動表示中であるか否か（Ｓ３０２）、第１特別図柄の確定図柄の表示時間中であるか否か（Ｓ３０４）、をそれぞれ判定する。第１特別図柄が変動表示中でなく確定図柄の表示時間中でもないと判定すると、第１特別図柄の保留数が値０よりも多いか否かを判定する（Ｓ３０６）。第１特別図柄の保留数が値０よりも多くない、すなわち値０であると判定すると、第１特別図柄遊技処理を終了する。一方、第１特別図柄の保留数が値０よりも多いと判定すると、第２特別図柄が変動表示中であるか否かを判定し（Ｓ３０８）、第２特別図柄が変動表示中であると判定すると、第２特別図柄が大当りであるか否かを判定する（Ｓ３１０）。第２特別図柄が変動表示中でないと判定したり、第２特別図柄が変動表示中であっても大当りでないと判定すると、判定用乱数記憶領域に記憶されている第１特別図柄の判定用乱数（大当り判定用乱数、大当り図柄決定用乱数、外れ図柄決定用乱数および変動パターン決定用乱数）のうち最も古いものを読み出し（Ｓ３１２）、読み出した大当り判定用乱数に基づいて当否判定処理を行なう（Ｓ３１４）。当否判定処理は、読み出した大当り判定用乱数と大当り判定用テーブルに含まれる大当り値とを比較することにより行ない、大当り判定用乱数が何れかの大当り値と一致したときには大当りと判定し、一致しなかったときには外れと判定する。大当り判定用テーブルは、大当り確率の現在の設定値（設定値１〜３のいずれか）に応じた低確率用および高確率用の大当り判定用テーブルのうち、確変フラグが値０（低確電サポなし状態や低確電サポあり状態）のときには大当り値の少ない低確率用の大当り判定テーブルが用いられ、確変フラ
グが値１（高確電サポなし状態や高確電サポあり状態）のときには大当り値の多い高確率用の大当り判定テーブルが用いられる。
【００６１】
当否判定処理の結果が大当りであると判定すると（Ｓ３１６の「ＹＥＳ」）、大当り図柄決定用乱数に基づいて大当り図柄を決定する大当り図柄決定処理を行なう（Ｓ３１８）。大当り図柄決定処理は、大当り遊技の内容（ラウンド数）と大当り遊技終了後の遊技状態とを決定するための処理であり、大当り図柄決定用乱数と図１３に例示する大当り図柄決定テーブルとを用いて行なう。第１特別図柄の大当り図柄は、図示するように、大当り遊技として６Ｒ大当り遊技を実行すると共に大当り遊技終了後の遊技状態を低確電サポあり状態とする特図１＿通常大当り図柄Ａと、大当り遊技として６Ｒ大当り遊技を実行すると共に大当り遊技終了後の遊技状態を高確電サポあり状態とする特図１＿確変大当り図柄Ａと、大当り遊技として１０Ｒ大当り遊技を実行すると共に大当り遊技終了後の遊技状態を高確電サポあり状態とする特図１＿確変大当り図柄Ｂと、を有する。また、特図１＿通常大当り図柄Ａ，特図１＿確変大当り図柄Ａ，特図１＿確変大当り図柄Ｂは、それぞれ３５％，４５％，２０％の割合で出現する。なお、決定した大当り図柄は、大当り遊技終了後の遊技状態を設定する大当り遊技終了時まで保存される。大当り図柄を決定すると、次に第１特別図柄の変動表示を開始してから決定した大当り図柄で確定表示するまでの第１特別図柄の変動表示時間（大当り変動パターン）を、読み出した変動パターン決定用乱数と大当り変動パターンテーブルとを用いて決定する（Ｓ３２０）。
【００６２】
一方、当否判定処理の結果が外れであると判定すると（Ｓ３１６の「ＮＯ」）、外れ図柄決定用乱数に基づいて外れ図柄を決定する（Ｓ３２２）。そして、第１特別図柄の変動表示を開始してから決定した外れ図柄で確定表示するまでの第１特別図柄の変動表示時間（外れ変動パターン）を、読み出した変動パターン決定用乱数と外れ変動パターンテーブルとを用いて決定する（Ｓ３２４）。ここで、変動パターンテーブル（大当り変動パターンテーブル，外れ変動パターンテーブル）は、各遊技状態で別々に用意され、現在の遊技状態に応じたテーブルが選択される。通常遊技状態（低確電サポなし状態）用のテーブルは、第１特別図柄の平均変動時間が１０秒となるように、変動時間が異なる複数の変動パターンそれぞれに対して変動パターン決定用乱数が割り当てられている。時短状態や確変状態（低確電サポあり状態や高確電サポなし状態、高確電サポあり状態）用のテーブルは、第１特別図柄の平均変動時間が通常遊技状態よりも短い３秒となるように、変動時間が異なる複数の変動パターンそれぞれに対して変動パターン決定用乱数が割り当てられている。
【００６３】
Ｓ３０６で第１特別図柄の保留数が値０よりも多いと判定した後、Ｓ３０８，Ｓ３１０で第２特別図柄が変動表示中で且つその第２特別図柄が大当りであると判定すると、当否判定を行なうことなく、第１特別図柄の確定図柄に外れ図柄を決定し（Ｓ３２２）、第１特別図柄の変動パターンとして外れ変動パターンを決定する（Ｓ３２４）。第１特別図柄と第２特別図柄は同時変動を許容しているから、両者で大当りが重複しないように、一方の特別図柄が大当りの場合には、他方の特別図柄を強制的に外れとする。本実施例では、第２特別図柄が小当りである場合は、通常通り当否判定を行なう。これは、一方の小当りにより本来ならば大当りであった他方の判定内容を強制的に外れにするのは、遊技者にとって著しい不利益を与えることになるからである。また、小当りはその前後で遊技状態の変更を伴うものではないため、大当りと小当りとを複合的に発生させても、遊技に大きな影響を与えないと考えられるからである。勿論、第２特別図柄が小当りの場合にも、大当りの場合と同様に、当否判定を行なうことなく、第１特別図柄を強制的に外れにしてもよい。また、本実施例では、第１特別図柄には小当りを含まないが、小当りを含む場合には、小当りの判定だけは行なうようにしてもよい。
【００６４】
こうして第１特別図柄の確定図柄と変動時間（変動パターン）とを決定すると、第１特
別図柄の変動表示を開始し（Ｓ３２６）、第１特別図柄の保留数を値１だけデクリメントすると共に第１特図保留数表示装置３３の表示を更新する（Ｓ３２８）。第１特別図柄の保留数の更新に伴って今回消化する保留に係る判定用乱数をクリアする。そして、第１特別図柄の変動開始コマンド（第１特図変動開始コマンド）をサブ統合制御装置９０に送信し（Ｓ３３０）、特別図柄の変動回数に応じて遊技状態を設定（変更）する遊技状態設定処理を実行して（Ｓ３３２）、第１特別図柄遊技処理を終了する。第１特図変動開始コマンドには、当否判定の結果や第１特別図柄の変動表示時間（変動パターン）、確定図柄（大当り図柄、外れ図柄）などが含まれる。なお、Ｓ３３２の遊技状態設定処理については後述する。
【００６５】
第１特別図柄の変動表示を開始すると、次に第１特別図柄遊技処理が実行されたときに、主制御装置６０のＣＰＵ６０ａは、Ｓ３０２で第１特別図柄が変動表示中と判定するため、次に、Ｓ３２０，Ｓ３２４で決定した第１特別図柄の変動時間が経過したか否かを判定する（Ｓ３３４）。第１特別図柄の変動時間が経過していないと判定すると、第１特別図柄遊技処理を一旦終了し、第１特別図柄の変動時間が経過したと判定すると、図柄停止コマンドをサブ統合制御装置９０に送信すると共に（Ｓ３３６）、変動表示中の第１特別図柄の確定図柄を表示する確定図柄表示処理を行なう（Ｓ３３８）。図柄停止コマンドを受信したサブ統合制御装置９０は、演出図柄表示装置４０で図柄変動演出を終了するように演出表示制御装置９１に制御コマンドを送信する。そして、確定図柄表示時間（例えば０．５秒）が経過したか否かを判定する（Ｓ３４０）。確定図柄表示時間が経過していないと判定すると、第１特別図柄遊技処理を一旦終了する。第１特別図柄の確定図柄が表示された後に、第１特別図柄遊技処理が実行されると、Ｓ３０４で確定図柄の表示時間中であると判定するため、再びＳ３４０で確定図柄表示時間が経過したか否かを判定し、確定図柄表示時間が経過したと判定すると、確定図柄の表示を終了し（Ｓ３４２）、第１特別図柄の確定図柄が大当り図柄であるか否かを判定する（Ｓ３４４）。
【００６６】
第１特別図柄の確定図柄が大当り図柄であると判定すると、第２特別図柄が変動表示（同時変動）中であるか否かを判定し（Ｓ３４６）、第２特別図柄が変動表示中であれば、第２特別図柄の変動表示を外れ図柄の確定表示により終了させる（Ｓ３４８）。続いて、大当り遊技（特別遊技）状態を発生させるために、条件装置の作動を開始すると共に（Ｓ３５０）、役物連続作動装置の作動を開始する（Ｓ３５２）。条件装置が作動すると、特別電動役物も作動する。そして、大当り遊技の内容などを含む大当り遊技開始演出コマンドをサブ統合制御装置９０に送信する（Ｓ３５４）。大当り遊技開始演出コマンドを受信したサブ統合制御装置９０は、大当り遊技開始演出（オープニング演出）を実行する。大当り遊技中には確変機能を停止させるために、確変フラグが値１（ＯＮ）のときには確変フラグを値０（ＯＦＦ）とし（Ｓ３５６，Ｓ３５８）、時短フラグが値１（ＯＮ）のときには時短フラグを値０（ＯＦＦ）として（Ｓ３６０，Ｓ３６２）、第１特別図柄遊技処理を終了する。上述したように、第１特別遊技処理を終了すると、主制御処理に戻って第２特別図柄遊技処理（Ｓ８０）に進み、第２特別図柄遊技処理においてＳ４００で特別電動役物が作動中と判定されて第２特別図柄遊技処理が終了するため、次の大当り遊技（特別遊技）処理（Ｓ９０）に進んで大当り遊技が実行される。
【００６７】
図１４は、遊技状態設定処理の一例を示すフローチャートである。図１４（Ｓ３３２）の遊技状態設定処理では、主制御装置６０のＣＰＵ６０ａは、まず、確変フラグが値１（ＯＮ）であるか否かを判定し（Ｓ３７０）、確変フラグが値１でなく値０（ＯＦＦ）であると判定すると、Ｓ３８２の処理に進む。確変フラグが値１であると判定すると、確変カウンタを値１だけデクリメントして（Ｓ３７２）、確変カウンタが値０であるか否かを判定する（Ｓ３７４）。ここで、確変カウンタは、確変遊技状態を維持する特別図柄の残り変動回数を示すものであり、確変カウンタには、大当り遊技の終了に際して予め定められた値がセットされる。本実施例では、確変大当りで当選すると、値１０，０００がセット
されるため、実質的に次に大当りを引くまで確変遊技状態が維持される。確変カウンタが値０でないと判定すると、確変遊技状態を維持したまま次のＳ３８２の処理に進み、確変カウンタが値０であると判定すると、確変遊技状態を終了させるために、確変フラグを値０とすると共に（Ｓ３７６）、確変遊技状態が終了したことを示す遊技状態指定コマンドをサブ統合制御装置９０に送信し（Ｓ３７８）、図９（ｂ）に示す遊技中の点灯態様に基づき遊技状態に応じて状態報知装置（第１状態報知装置３７と第２状態報知装置３８）を点灯させて（Ｓ３８０）、次のＳ３８２の処理に進む。
【００６８】
次に、時短フラグが値１（ＯＮ）であるか否かを判定し（Ｓ３８２）、時短フラグが値１でなく値０（ＯＦＦ）であると判定すると、第１特別図柄遊技処理を終了する。時短フラグが値１であると判定すると、時短カウンタを値１だけデクリメントし（Ｓ３８４）、時短カウンタが値０であるか否かを判定する（Ｓ３８６）。ここで、時短カウンタは、時短遊技状態を維持する特別図柄の残り変動回数を示すものであり、時短カウンタには、大当り遊技の終了に際して予め定められた値がセットされる。本実施例では、値５０または値０がセットされる。時短カウンタが値０でないと判定すると、時短遊技状態を維持したまま第１特別図柄遊技処理を終了し、時短カウンタが値０であると判定すると、時短遊技状態を終了させるために、時短フラグを値０とすると共に（Ｓ３８８）、時短遊技状態が終了したことを示す遊技状態指定コマンドをサブ統合制御装置９０に送信し（Ｓ３９０）、図９（ｂ）に示す遊技中の点灯態様に基づき遊技状態に応じて状態報知装置（第１状態報知装置３７と第２状態報知装置３８）を点灯させて（Ｓ３９２）、第１特別図柄遊技処理を終了する。ここで、Ｓ３８０，Ｓ３９２では、図９（ｂ）に基づき変化後の遊技状態に応じて第１状態報知装置３７および第２状態報知装置３８を点灯または消灯させる。例えば、高確電サポあり状態から高確電サポなし状態となった場合には、第１状態報知装置３７が消灯し第２状態報知装置３８が点灯する態様とし、低確電サポあり状態から低確電サポなし状態となった場合には、第１状態報知装置３７と第２状態報知装置３８とが共に消灯する態様とする。なお、高確電サポあり状態から低確電サポあり状態となった場合には、第１状態報知装置３７が点灯し第２状態報知装置３８が消灯する態様とすることになり、高確電サポなし状態から低確電サポなし状態となった場合には、第１状態報知装置３７と第２状態報知装置３８とが共に消灯する態様とすることになるが、実質的に次に大当りを引くまで確変遊技状態が維持されるから、通常はそのように点灯態様を変更することはない。
【００６９】
［第２特別図柄遊技処理］
図１５および図１６は、第２特別図柄遊技処理の一例を示すフローチャートである。Ｓ８０の第２特別図柄遊技処理では、主制御装置６０のＣＰＵ６０ａは、まず、特別電動役物が作動中であるか否かを判定する（Ｓ４００）。特別電動役物が作動中であると判定すると、第２特別図柄遊技処理を終了する。本実施例では、第２特別遊技処理を終了すると、次の大当り遊技（特別遊技）処理（Ｓ９０）に進む。一方、特別電動役物が作動中でないと判定すると、第２特別図柄が変動表示中であるか否か（Ｓ４０２）、第２特別図柄の確定図柄の表示時間中であるか否か（Ｓ４０４）、をそれぞれ判定する。第２特別図柄が変動表示中でなく確定図柄の表示時間中でもないと判定すると、第２特別図柄の保留数が値０よりも多いか否かを判定する（Ｓ４０６）。第２特別図柄の保留数が値０よりも多くない、すなわち値０であると判定すると、第２特別図柄遊技処理を終了する。一方、第２特別図柄の保留数が値０よりも多いと判定すると、第１特別図柄が変動表示中であるか否かを判定し（Ｓ４０８）、第１特別図柄が変動表示中であると判定すると、第１特別図柄が大当りであるか否かを判定する（Ｓ４１０）。第１特別図柄が変動表示中でないと判定したり、第１特別図柄が変動表示中であっても大当りでないと判定すると、判定用乱数記憶領域に記憶されている第２特別図柄の判定用乱数（大当り判定用乱数、大当り図柄決定用乱数、外れ図柄決定用乱数および変動パターン決定用乱数）のうち最も古いものを読み出し（Ｓ４１２）、読み出した大当り判定用乱数に基づいて当否判定処理を行なう（Ｓ４
１４）。第２特別図柄には小当りが含まれているから、当否判定は、大当り判定用乱数と大当り判定用テーブルに含まれる大当り値とを比較する処理に加えて、当該大当り判定用乱数と当該大当り判定用テーブルに含まれる小当り値とを比較する処理も行なう。そして、大当り判定用乱数が大当り値と一致したときには大当りと判定し、大当り判定用乱数が小当り値と一致したときには小当りと判定し、大当り判定用乱数が大当り値と小当り値のいずれにも一致しなかったときには外れと判定する。上述したように、本実施例では、第２特別図柄の小当り確率は、１／１０．０としたから、当否判定処理では、大当りよりも小当りと判定することが多いものとなる。
【００７０】
当否判定処理の結果が大当りであると判定すると（Ｓ４１６の「ＹＥＳ」）、大当り図柄決定用乱数に基づいて大当り図柄を決定する大当り図柄決定処理を行なう（Ｓ４１８）。第２特別図柄の大当り図柄決定処理は、図１３に例示する第１特別図柄用の大当り図柄決定テーブルに代えて図１７（ａ）に例示する第２特別図柄用の大当り図柄決定テーブルを用いる点を除いてＳ３１８と同様に行なう。図示するように、大当り遊技として６Ｒ大当り遊技を実行すると共に大当り遊技終了後の遊技状態を低確電サポあり遊技状態とする特図２＿通常大当り図柄Ａと、大当り遊技として６Ｒ大当り遊技を実行すると共に大当り遊技終了後の遊技状態を高確電サポあり遊技状態とする特図２＿確変大当り図柄Ａと、大当り遊技として１０Ｒ大当り遊技を実行すると共に大当り遊技終了後の遊技状態を高確電サポなし状態とする特図２＿確変大当り図柄Ｂと、を有する。また、特図２＿通常大当り図柄Ａ，特図２＿確変大当り図柄Ａ，特図２＿確変大当り図柄Ｂは、それぞれ３５％，４５％，２０％の割合で出現する。なお、決定した大当り図柄は、大当り遊技終了後の遊技状態を設定する大当り遊技終了時まで保存される。大当り図柄を決定すると、第２特別図柄の変動表示を開始してから決定した大当り図柄で確定表示するまでの第２特別図柄の変動表示時間（大当り変動パターン）を、読み出した変動パターン決定用乱数と大当り変動パターンテーブルとを用いて決定する（Ｓ４２０）。
【００７１】
一方、当否判定処理の結果が大当りでないと判定すると、小当りであるか否かを判定する（Ｓ４２２）。当否判定の結果が小当りであると判定すると、大当り図柄決定用乱数に基づいて小当り図柄を決定する（Ｓ４２４）。図１７（ｂ）は、第２特別図柄の小当り図柄決定テーブルの一例を示す説明図である。第２特別図柄の小当り図柄は、大入賞口２６の短時間（例えば、０．３秒）の開放を１回行なう特図２＿小当り図柄Ａと、大入賞口２６の長時間（例えば、１．５秒）の開放を１回行なう特図２＿小当り図柄Ｂと、を有する。なお、大入賞口２６の開放を複数回繰り返すものなどとしてもよい。特図２＿小当り図柄Ａ，特図２＿小当り図柄Ｂは、それぞれ３０％，７０％の割合で出現する。小当り図柄を決定すると、第２特別図柄の変動表示を開始してから決定した外れ図柄で確定表示するまでの第２特別図柄の変動表示時間（小当り変動パターン）を、読み出した変動パターン決定用乱数と小当り変動パターンテーブルとを用いて決定する（Ｓ４２６）。
【００７２】
Ｓ４２２で当否判定処理の結果が外れであると判定すると、外れ図柄決定用乱数に基づいて外れ図柄を決定する（Ｓ４２８）。そして、第２特別図柄の変動表示を開始してから決定した外れ図柄で確定表示するまでの第２特別図柄の変動表示時間（外れ変動パターン）を、読み出した変動パターン決定用乱数と外れ変動パターンテーブルとを用いて決定する（Ｓ４３０）。ここで、変動パターンテーブル（大当り変動パターンテーブル，小当り変動パターンテーブル，外れ変動パターンテーブル）は、第１特別図柄用の変動パターンテーブルと同様に、各遊技状態で別々に用意され、現在の遊技状態に応じたテーブルが選択される。通常遊技状態（低確電サポなし状態）用のテーブルは、第２特別図柄の平均変動時間が１０分となるように、変動時間が異なる複数の変動パターンそれぞれに対して変動パターン決定用乱数が割り当てられている。時短状態や確変状態（低確電サポあり状態や高確電サポなし状態、高確電サポあり状態）用のテーブルは、第２特別図柄の平均変動時間が通常遊技状態よりも短い３秒となるように、変動時間が異なる複数の変動パターン
それぞれに対して変動パターン決定用乱数が割り当てられている。
【００７３】
Ｓ４０６で第２特別図柄の保留数が値０よりも大きいと判定した後、Ｓ４０８，Ｓ４１０で第１特別図柄が変動表示中で且つその第１特別図柄が大当りであると判定すると、当否判定を行なうことなく、第２特別図柄の確定図柄に外れ図柄を決定して（Ｓ４２８）、外れ変動パターンを決定する（Ｓ４３０）。上述したように、第１特別図柄と第２特別図柄とで大当りが重複しないように、一方の特別図柄が大当りの場合には、他方の特別図柄を強制的に外れとする。なお、第１特別図柄が大当りであっても、第２特別図柄の小当りの判定だけは行なうようにしてもよい。
【００７４】
こうして第２特別図柄の確定図柄と変動時間（変動パターン）とを決定すると、第２特別図柄の変動表示を開始し（Ｓ４３２）、第２特別図柄の保留数を値１だけデクリメントすると共に第２特図保留数表示装置３４の表示を更新する（Ｓ４３４）。第２特別図柄の保留数の更新に伴って今回消化する保留に係る判定用乱数をクリアする。そして、第２特別図柄の変動開始コマンド（第２特図変動開始コマンド）をサブ統合制御装置９０に送信し（Ｓ４３６）、特別図柄の変動回数に応じて遊技状態を設定（変更）する遊技状態設定処理を実行して（Ｓ４３８）、第２特別図柄遊技処理を終了する。第２特図変動開始コマンドには、当否判定の結果や第２特別図柄の変動表示時間（変動パターン）、確定図柄（大当り図柄、小当り図柄、外れ図柄）などが含まれる。なお、Ｓ４３８の遊技状態設定処理は、３３２の遊技状態設定処理と同様に図１４のフローチャートに基づいて実行されるため説明は省略する。
【００７５】
第２特別図柄の変動表示を開始すると、次に第２特別図柄遊技処理が実行されたときに、主制御装置６０のＣＰＵ６０ａは、Ｓ４０２で第２特別図柄が変動表示中と判定するため、次に、Ｓ４２０，Ｓ４２６またはＳ４３０で決定した第２特別図柄の変動表示時間が経過したか否かを判定する（Ｓ４４０）。第２特別図柄の変動表示時間が経過していないと判定すると、第２特別図柄遊技処理を一旦終了し、第２特別図柄の変動表示時間が経過したと判定すると、図柄停止コマンドをサブ統合制御装置９０に送信すると共に（Ｓ４４２）、変動表示中の第２特別図柄の確定図柄を表示する確定図柄表示処理を行なう（Ｓ４４４）。そして、確定図柄表示時間（例えば０．５秒）が経過したか否かを判定する（Ｓ４４６）。確定図柄表示時間が経過していないと判定すると、第２特別図柄遊技処理を一旦終了する。第２特別図柄の確定図柄が表示された後に、第２特別図柄遊技処理が実行されると、Ｓ４０４で確定図柄の表示時間中であると判定するため、再びＳ４４６で確定図柄表示時間が経過したか否かを判定し、確定図柄表示時間が経過したと判定すると、確定図柄の表示を終了し（Ｓ４４８）、第２特別図柄の確定図柄が大当り図柄であるか否かを判定する（Ｓ４５０）。
【００７６】
第２特別図柄の確定図柄が大当り図柄であると判定すると、第１特別図柄が変動表示（同時変動）中であるか否かを判定し（Ｓ４５２）、第１特別図柄が変動表示中であれば、第１特別図柄の変動表示を外れ図柄の確定表示により終了させる（Ｓ４５４）。続いて、条件装置の作動を開始すると共に（Ｓ４５６）、役物連続作動装置の作動を開始する（Ｓ４５８）。条件装置が作動すると、特別電動役物も作動する。そして、大当り遊技開始演出コマンドをサブ統合制御装置９０に送信する（Ｓ４６０）。大当り遊技開始演出コマンドを受信したサブ統合制御装置９０は、大当り遊技開始演出（オープニング演出）を実行する。また、第１特別図柄が大当りのときと同様に、確変フラグが値１（ＯＮ）のときには確変フラグを値０（ＯＦＦ）とし（Ｓ４６２，Ｓ４６４）、時短フラグが値１（ＯＮ）のときには時短フラグを値０（ＯＦＦ）として（Ｓ４６６，Ｓ４６８）、第２特別図柄遊技処理を終了する。第２特別図柄遊技処理を終了すると、主制御処理に戻って次のＳ９０の大当り遊技処理（特別遊技処理）に進む。
【００７７】
一方、Ｓ４５０で大当り図柄でないと判定すると、小当り図柄であるか否かを判定する（Ｓ４７０）。第２特別図柄の確定図柄が小当り図柄であると判定すると、第１特別図柄が変動表示中であるか否かを判定し（Ｓ４７２）、第１特別図柄が変動表示（同時変動）中であれば、第１特別図柄の変動表示を中断する変動中断処理を行なう（Ｓ４７４）。これにより、小当り遊技が終了するまで第１特別図柄の変動時間の計測が中断される。小当り遊技が終了すると、第１特別図柄の変動時間の計測が再開され、残りの変動時間が経過するまで第１特別図柄の変動表示が行われる。第１特別図柄が変動表示中でなければ、Ｓ４７４をスキップして次のＳ４７６の処理に進む。そして、特別電動役物の作動を開始すると共に（Ｓ４７６）、小当り遊技開始演出コマンドをサブ統合制御装置９０に送信する（Ｓ４７８）。小当り遊技開始演出コマンドを受信したサブ統合制御装置９０は、小当り遊技開始演出（オープニング演出）を実行する。また、Ｓ４７０で小当り図柄でないと判定すると、Ｓ４７２〜Ｓ４７８をスキップして第２特別図柄遊技処理を終了する。
【００７８】
［大当り遊技処理］
図１８および図１９は、大当り遊技処理の一例を示すフローチャートである。Ｓ９０の大当り遊技処理では、主制御装置６０のＣＰＵ６０ａは、まず、役物連続作動装置が作動中（大当り遊技中）であるか否かを判定する（Ｓ５００）。役物連続作動装置が作動中でないと判定すると、大当り遊技処理を終了する。大当り遊技処理を終了すると、次の小当り遊技処理（Ｓ９５）に進む。一方、役物連続作動装置が作動中であると判定すると、ラウンド遊技中であるか否かを判定する（Ｓ５０２）。ラウンド遊技中でないと判定すると、オープニング演出（大当り遊技開始演出）中であるか否か（Ｓ５０４）、インターバル中であるか否か（Ｓ５０６）、をそれぞれ判定する。大当り遊技が開始された直後は、オープニング演出中であるから、Ｓ５０４で肯定的な判定がなされ、次に、オープニング演出時間（実施例では５秒）が経過したか否かを判定する（Ｓ５０８）。オープニング演出時間が経過していないと判定すると、大当り遊技処理を一旦終了する。Ｓ５０８でオープニング演出時間が経過したと判定すると、所定の開放パターンによって大入賞口２６を開放するラウンド遊技を開始すると共に（Ｓ５１０）、ラウンド遊技演出コマンドをサブ統合制御装置９０に送信して（Ｓ５１２）、大当り遊技処理を一旦終了する。なお、ラウンド遊技演出コマンドには、開始したラウンド遊技が何ラウンド目であるかの情報が含まれる。大入賞口２６の開放パターンは、所定時間（実施例では２８．０秒）のラウンド遊技を６回行なう開放パターンと１０回行なう開放パターンとがある。開放パターンは、大当り図柄に応じて決定される。
【００７９】
ラウンド遊技を開始すると、次に大当り遊技処理を実行したときにＳ５０２でラウンド遊技中であると判定するため、大入賞口スイッチ２６ａからの検知信号に基づいて大入賞口２６への遊技球の入球数が規定数（実施例では９個）に達しているか否かを判定すると共に（Ｓ５１４）、ラウンド遊技を開始してからの大入賞口２６の通じての開放時間が最大開放時間（実施例では２８．０秒）に達しているか否かを判定する（Ｓ５１６）。大入賞口２６への遊技球の入球数が規定数に達しておらず、大入賞口２６の通じての開放時間が最大開放時間にも達していないと判定すると、ラウンド遊技の実行を維持したまま大当り遊技処理を一旦終了する。一方、大入賞口２６への遊技球の入球数が規定数に達したと判定したり、当該入球数が規定数に達する前に大入賞口２６の通じての開放時間が最大開放時間に達したと判定すると、大入賞口２６を閉鎖してラウンド遊技を終了し（Ｓ５１８）、インターバル時間（実施例では２秒）を設定するインターバル処理を行なって（Ｓ５２０）、大当り遊技処理を終了する。ラウンド遊技を終了すると、次に大当り遊技処理が実行されたときには、Ｓ５０６でインターバル中であると判定するため、インターバル時間が経過したか否かを判定する（Ｓ５２２）。インターバル時間が経過していないと判定すると、大当り遊技処理を一旦終了し、インターバル時間が経過したと判定すると、最終ラウンドが終了したか否かを判定する（Ｓ５２４）。最終ラウンドが終了していないと判定すると、再びラウンド遊技を開始する（Ｓ５１０）。
【００８０】
こうして大入賞口２６の開放と閉鎖とを行なうラウンド遊技を、インターバル時間を挟んで所定回数（６Ｒ大当り遊技では６回、１０Ｒ大当り遊技では１０回）繰り返し、Ｓ５２２，Ｓ５２４において最終ラウンド終了後のインターバル時間（終了インターバル時間）が経過したと判定すると、大当り遊技終了演出コマンドをサブ統合制御装置９０に送信して（Ｓ５２６）、大当り遊技処理を一旦終了する。大当り遊技終了演出コマンドを受信したサブ統合制御装置９０は、大当り遊技終了演出（エンディング演出）を実行する。そして、次に大当り遊技が実行されたときに、Ｓ５０２，Ｓ５０４，Ｓ５０６でラウンド遊技中でなくオープニング中でもなくインターバル中でもないと判定するため、エンディング演出時間が経過したか否かを判定する（Ｓ５２８）。エンディング演出時間が経過していないと判定すると、大当り遊技処理を一旦終了する。一方、エンディング演出時間が経過したと判定すると、役物連続作動装置の作動を停止すると共に（Ｓ５３０）、条件装置の作動を停止する（Ｓ５３２）。
【００８１】
そして、今回の大当り図柄が確変大当り図柄（特図１＿確変大当り図柄Ａ，Ｂ、特図２＿確変大当り図柄Ａ，Ｂ）であるか否かを判定する（Ｓ５３４）。今回の大当り図柄が確変大当り図柄であると判定すると、確変遊技状態を発生させるために、確変カウンタに値１０，０００をセットすると共に（Ｓ５３６）、確変フラグに値１をセットする（Ｓ５３８）。なお、今回の大当り図柄が確変大当り図柄でないと判定すると、Ｓ５３６，Ｓ５３８をスキップすることにより大当り確率を通常確率（低確率）に保持してＳ５４０の処理に進む。
【００８２】
続いて、今回の大当り図柄が特図２＿確変大当り図柄Ｂ以外の大当り図柄（特図１＿通常大当り図柄Ａ、特図１＿確変大当り図柄Ａ，Ｂ、特図２＿通常大当り図柄Ａ、特図２＿確変大当り図柄Ａ，Ｂ）であるか否かを判定する（Ｓ５４０）。今回の大当り図柄が特図２＿確変大当り図柄Ｂ以外の大当り図柄であると判定すると、時短状態（電サポあり状態）を発生させるために、時短カウンタに値５０をセットすると共に（Ｓ５４２）、時短フラグに値１をセットする（Ｓ５４４）。一方、今回の大当り図柄が特図２＿確変大当り図柄Ｂであると判定すると、Ｓ５４２，Ｓ５４４をスキップすることにより非時短状態（電サポなし状態）を保持してＳ５４６の処理に進む。これらの処理により、大当り遊技終了後は、高確電サポなし状態か高確電サポあり状態、低確電サポあり状態のいずれかの遊技状態が設定されることになる。そして、大当り遊技終了コマンドと遊技状態指定コマンドとをサブ統合制御装置９０に送信し（Ｓ５４６，Ｓ５４８）、図９（ｂ）に示す遊技中の点灯態様に基づき遊技状態に応じて状態報知装置（第１状態報知装置３７と第２状態報知装置３８）を点灯させて（Ｓ５５０）、大当り遊技処理を終了する。
【００８３】
ここで、Ｓ５５０では、図９（ｂ）に基づき大当り遊技終了後の遊技状態に応じて第１状態報知装置３７および第２状態報知装置３８を点灯または消灯させる。例えば、大当り遊技終了後に高確電サポなし状態となる場合には、第１状態報知装置３７が消灯し第２状態報知装置３８が点灯する態様とする。また、大当り遊技終了後に高確電サポあり状態となる場合および低確電サポあり状態となる場合には、第１状態報知装置３７が点灯し第２状態報知装置３８が消灯する態様とする。即ち、大当り遊技終了後に高確電サポあり状態となる場合と低確電サポあり状態となる場合とで、第１状態報知装置３７と第２状態報知装置３８の点灯態様を同一の態様とするのである。このため、遊技者は、第１状態報知装置３７と第２状態報知装置３８の点灯態様を見ても、高確電サポあり状態か低確電サポあり状態かを判別することができないものとなる。なお、図９に示すように、電源復帰時の点灯態様（図９（ａ））は、遊技中の点灯態様（図９（ｂ））と高確電サポあり状態における点灯態様が異なる。即ち、高確電サポあり状態の点灯態様と低確電サポあり状態の点灯態様とが異なるものとなる。このため、電源復帰時は高確電サポあり状態か低確電サポあり状態かを含め、正確な遊技状態を判別することが可能である。
【００８４】
［小当り遊技処理］
図２０は、小当り遊技処理の一例を示すフローチャートである。Ｓ９５の小当り遊技処理では、主制御装置６０のＣＰＵ６０ａは、まず、役物連続作動装置が作動中でなく特別電動役物が作動中であるか否か、すなわち小当り遊技中であるか否かを判定する（Ｓ６００，Ｓ６０２）。役物連続作動装置が作動中であったり、特別電動役物が作動中でないと判定すると、小当り遊技処理を終了する。一方、役物連続作動装置が作動中でなく特別電動役物が作動中であると判定すると、大入賞口２６が開放中であるか否かを判定する（Ｓ６０４）。大入賞口２６が開放中でないと判定すると、オープニング演出（小当り遊技開始演出）中であるか否かを判定する（Ｓ６０６）。小当り遊技が開始された直後は、オープニング演出中であるから、Ｓ６０６で肯定的な判定がなされ、オープニング演出時間（例えば５秒）が経過したか否かを判定する（Ｓ６０８）。オープニング演出時間が経過していないと判定すると、小当り遊技処理を一旦終了し、オープニング演出時間が経過したと判定すると、大入賞口ソレノイド２６ｃの駆動により所定の開放パターンによって大入賞口２６を開放すると共に（Ｓ６１０）、大入賞口開放演出コマンド（ラウンド遊技演出コマンド）をサブ統合制御装置９０に送信して（Ｓ６１２）、小当り遊技処理を一旦終了する。
【００８５】
大入賞口２６を開放すると、次に小当り遊技処理を実行したときにＳ６０４で大入賞口２６が開放中と判定するため、大入賞口スイッチ２６ａからの検知信号に基づいて大入賞口２６への遊技球の入球数が規定数（実施例では９個）に達しているか否かを判定すると共に（Ｓ６１４）、大入賞口２６を開放してからの経過時間が最大開放時間に達しているか否かを判定する（Ｓ６１６）。大入賞口２６の最大開放時間は、本実施例では、特図２＿小当り図柄Ａで当選すると、０．３秒であり、特図２＿小当り図柄Ｂで当選すると、１．５秒である。なお、特図２＿小当り図柄Ａでは、短時間の開放を１回だけ行なうから、大入賞口２６の開放中に規定数の遊技球の入球は困難となっている。大入賞口２６への遊技球の入球数が規定数に達しておらず、大入賞口２６の開放時間が最大開放時間にも達していないと判定すると、大入賞口２６の開放を維持したまま小当り遊技処理を一旦終了する。一方、大入賞口２６への遊技球の入球数が規定数に達したと判定したり、当該入球数が規定数に達する前に大入賞口２６の開放時間が最大開放時間に達したと判定すると、大入賞口２６を閉鎖し（Ｓ６１８）、小当り遊技終了演出コマンドをサブ統合制御装置９０に送信して（Ｓ６２０）、小当り遊技処理を終了する。
【００８６】
次に、サブ統合制御装置９０により実行される演出制御について説明する。演出制御処理は、図柄変動演出処理や大当り遊技演出処理、大当り終了時演出モード設定処理などの各種処理を繰り返し実行することにより行なわれる。なお、大当り遊技演出処理では、大当り遊技開始演出コマンドの受信に基づく大当り遊技開始演出や大当り遊技終了演出コマンドの受信に基づく大当り遊技終了演出などが実行されるが、本発明の要旨をなさないから説明を省略する。以下、説明の都合上、先に大当り終了時演出モード設定処理を説明する。図２１は、大当り終了時演出モード設定処理の一例を示すフローチャートであり、図２２は、各演出モードにおける表示画面の一例を示す説明図であり、図２３は、演出モードの遷移の様子を示す説明図である。
【００８７】
［大当り終了時演出モード設定処理］
図２１の大当り終了時演出モード設定処理が実行されると、サブ統合制御装置９０のＣＰＵ９０ａは、まず、図１９の大当り遊技処理のＳ５４６で主制御装置６０により送信される大当り遊技終了コマンドを受信したか否かを判定し（Ｓ７００）、大当り遊技終了コマンドを受信してないと判定すると、大当り終了時演出モード設定処理を終了する。一方、大当り遊技終了コマンドを受信したと判定すると、大当り遊技処理のＳ５４８で主制御装置６０により送信される遊技状態指定コマンドで指定される大当り遊技終了後の遊技状
態が、高確電サポあり状態か低確電サポあり状態のいずれかであるか否かを判定する（Ｓ７０２）。上述したように、大当り遊技終了後の遊技状態は、特図１＿確変大当り図柄Ａ，Ｂや特図２＿確変大当り図柄Ａの大当り遊技が終了して高確電サポあり状態となる場合と、特図１＿通常大当り図柄Ａや特図２＿通常大当り図柄Ａの大当り遊技が終了して低確電サポあり状態となる場合と、特図２＿確変大当り図柄Ｂの大当り遊技が終了して高確電サポなし状態となる場合とがある。Ｓ７０２で高確電サポあり状態か低確電サポあり状態のいずれかであると判定すると、演出モードをチャンスモードに設定すると共に（Ｓ７０４，図２３（１），（２））、モードカウンタＫに値５０をセットして（Ｓ７０６）、大当り終了時演出モード設定処理を終了する。モードカウンタＫの値は、電サポあり状態の残りの図柄変動回数を示し、時短カウンタと同じ値となる。一方、Ｓ７０２で高確電サポあり状態か低確電サポあり状態のいずれでもない、即ち大当り遊技終了後は高確電サポなし状態であると判定すると、演出モードをＲＵＳＨモードに設定して（Ｓ７０８，図２３（３））、大当り終了時演出モード設定処理を終了する。
【００８８】
本実施例では、演出モードとして、通常モードとチャンスモードとＲＵＳＨモードの３つの演出モードの中から、遊技状態に基づいて１の演出モードを設定可能となっている。図２２（ａ）は通常モードにおける表示画面、図２２（ｂ）はチャンスモードにおける表示画面、図２２（ｃ）はＲＵＳＨモードにおける表示画面を示す。通常モードは、低確電サポなし状態の場合に設定され、チャンスモード（達吉チャンスゾーン）は、高確電サポあり状態と低確電サポあり状態の場合に設定され、ＲＵＳＨモード（達吉ＲＵＳＨ）は、高確電サポなし状態（小当りラッシュ状態）の場合に設定される。各表示画面には、モードに応じた演出図柄４１Ｌ，４１Ｃ，４１Ｒと、キャラクタ４３（「熊の達吉」）などが表示される。なお、図２２（ｃ）はＲＵＳＨモード中に演出図柄４１Ｌ，４１Ｃ，４１Ｒが小当り図柄で停止表示した場合を示す。チャンスモードとＲＵＳＨモードでは、上述したように右打ちが行われるため、遊技者に右打ちを報知する右打ち報知指示が表示される。また、チャンスモードでは、モードカウンタＫの値が電サポ残り回数（図２２（ｂ）では４７回）として演出図柄表示装置４０の表示画面に表示される。本実施例では、大当り遊技の終了後に高確電サポあり状態か低確電サポあり状態となる場合にチャンスモードとなるから、演出図柄表示装置４０の表示画面を見ても遊技者は高確電サポあり状態か低確電サポあり状態かを判別することができないものとなる。また、上述したように、遊技者は、第１状態報知装置３７と第２状態報知装置３８の点灯態様を見ても、高確電サポあり状態か低確電サポあり状態かを判別することができない。したがって、高確電サポあり状態か低確電サポあり状態のいずれであるかを遊技者に秘匿にすることができる。なお、高確電サポあり状態のチャンスモードと低確電サポあり状態のチャンスモードとは、完全に同一とするものに限られず、遊技者が認識困難な程度に背景色の一部や登場するキャラクタの一部が異なるものなど、類似のモードであってもよい。
【００８９】
［図柄変動演出処理］
次に、図柄変動演出処理を説明する。図２４は、図柄変動演出処理の一例を示すフローチャートであり、図２５は、チャンスモード中の突入チャンス演出の一例を示す説明図であり、図２６は、突入チャンス演出の成功演出と失敗演出の一例を示す説明図である。図２４の図柄変動演出処理が実行されると、サブ統合制御装置９０のＣＰＵ９０ａは、まず、第１特別図柄遊技処理のＳ３３０や第２特別図柄遊技処理のＳ４３６で主制御装置６０により送信される特図変動開始コマンド（第１特図変動開始コマンドまたは第２特図変動開始コマンド）を受信したか否かを判定する（Ｓ８００）。特図変動開始コマンドを受信してないと判定すると、Ｓ８１６の処理に進む。一方、特図変動開始コマンドを受信したと判定すると、受信したコマンドに基づいて演出図柄（疑似図柄）の停止図柄と演出パターンとを決定する（Ｓ８０２）。前述したように、変動開始コマンドには、大当り判定の結果や特別図柄の変動パターン（変動時間）、確定図柄（通常大当り図柄、確変大当り図柄、小当り図柄または外れ図柄）などが含まれる。このため、演出図柄の停止図柄の選択
は、ＲＯＭ９０ｂに予め記憶されている演出図柄設定テーブルの中から特別図柄の確定図柄に対応する演出図柄の停止図柄を決定することにより行なうことができる。また、演出パターンの決定は、ＲＯＭ９０ｂに予め記憶されている演出パターンテーブルの中から特別図柄の変動パターンに対応する演出パターンを決定することにより行なうことができる。こうして演出図柄の停止図柄と演出パターンとを決定すると、図柄変動演出を開始する（Ｓ８０４）。
【００９０】
図柄変動演出を開始すると、チャンスモード中であるか否かを判定し（Ｓ８０６）、チャンスモード中でなく通常モード中やＲＵＳＨモード中であると判定すると、Ｓ８１６の処理に進む。一方、チャンスモード中であると判定すると、モードカウンタＫを値１だけデクリメントして（Ｓ８０８）、モードカウンタＫが値０であるか否かを判定する（Ｓ８１０）。モードカウンタＫが値０でないと判定すると、演出図柄表示装置４０の表示画面に表示される電サポ残り回数（チャンスモードの残りの変動回数）をモードカウンタＫの値に応じて更新して（Ｓ８１２）、Ｓ８１６の処理に進む。
【００９１】
また、Ｓ９１０でモードカウンタＫが値０であると判定すると、突入チャンス演出を開始して（Ｓ８１４）、Ｓ８１６の処理に進む。モードカウンタＫが値０である場合、時短カウンタも値０となっているから、電サポあり状態（時短状態）の最後（ここでは５０回目）に行なわれる図柄変動演出中（特別図柄の変動表示中）に、突入チャンス演出を実行することになる。図２５に示すように、突入チャンス演出の開始時には、小当りラッシュ（ＲＵＳＨモード）に突入（移行）できるチャンスである旨や小当りラッシュに突入するための演出上の所定条件などが表示され、キャラクタ４３を用いて所定条件の達成を目指す演出（例えばキャラクタ４３がカラオケで１００点を獲得できるか否かの演出）が行なわれる。突入チャンス演出中は、画面の左上隅で演出図柄４１Ｌ，４１Ｃ，４１Ｒが変動表示される。また、突入チャンス演出中は、図２２（ｂ）のチャンスモードの表示画面と異なり、右打ち報知指示は表示しないものとなる。これは、既に電サポあり状態が終了して電サポなし状態となっているため、右打ち報知指示を表示しないことで遊技者が遊技球の発射を停止することを目的としている。また、後述するように、突入チャンス演出を行なうために、５０回目の変動時間を長くしてもよく保留の消化が進まない場合があることによる。
【００９２】
次に、第１特別図柄遊技処理のＳ３３６や第２特別図柄遊技処理のＳ４４２で主制御装置６０により送信される図柄停止コマンドを受信したか否かを判定する（Ｓ８１６）。図柄停止コマンドを受信してないと判定すると、図柄変動演出処理を終了する。一方、図柄停止コマンドを受信したと判定すると、変動表示中の演出図柄を停止表示する（Ｓ８１８）。これにより、Ｓ８０２で決定した演出図柄が停止表示されることになる。続いて、Ｓ９１４で開始される突入チャンス演出を実行中であるか否かを判定し（Ｓ８２０）、突入チャンス演出を実行中でないと判定すると、図柄変動演出処理を終了する。
【００９３】
一方、突入チャンス演出を実行中であると判定すると、図１４の遊技状態設定処理のＳ３９２で送信される遊技状態指定コマンドに基づいて、遊技状態が高確電サポなし状態に移行するか否かを判定する（Ｓ８２２）。なお、Ｓ８２２では、現在のチャンスモードが高確電サポあり状態によって開始されたモードであるか否かを判定してもよい。Ｓ８２２で高確電サポなし状態即ち小当りラッシュ状態に移行すると判定すると、小当りラッシュへの突入成功を示す突入成功演出を実行してから（Ｓ８２４，図２３（４））、演出モードをＲＵＳＨモードに設定して（Ｓ８２６，図２３（３））、図柄変動演出処理を終了する。図２６（ａ）に示すように、突入成功演出では、所定条件（例えば１００点）の達成に成功し、小当りラッシュに突入（移行）することが報知される。一方、Ｓ８２２で高確電サポなし状態ではなく低確電サポなし状態に移行すると判定すると、小当りラッシュへの突入失敗を示す突入失敗演出を実行してから（Ｓ８２８，図２３（５））、演出モード
を通常モードに設定して（Ｓ８３０，図２３（６））、図柄変動演出処理を終了する。図２６（ｂ）に示すように、突入失敗演出では、所定条件の達成に失敗し、小当りラッシュに突入しないことが報知される。
【００９４】
ここで、図２７は、大当り遊技の終了後に高確電サポあり状態が設定された場合のタイムチャートの一例を示す説明図であり、図２８は、大当り遊技の終了後に低確電サポあり状態が設定された場合のタイムチャートの一例を示す説明図であり、図２９は、大当り遊技の終了後に高確電サポなし状態が設定された場合のタイムチャートの一例を示す説明図である。図２７〜図２９では、大当り遊技の終了後に各遊技状態が設定されて特別図柄の変動表示が所定回数（５０回）以上行なわれた場合における、確変フラグと、時短フラグと、特図変動回数と、遊技状態と、演出表示（演出モード）の時間変化の様子を示す。
【００９５】
図２７に示すように、大当り遊技の終了後に確変フラグおよび時短フラグを値１として高確電サポあり状態が設定された場合には、それに合わせてチャンスモードが設定されて（時刻ｔ１１）、特別図柄の変動表示が順次行なわれていく。そして、特別図柄の所定回数目（５０回目）の変動表示が行なわれる際に（時刻ｔ１２）、時短フラグを値０として高確電サポあり状態から高確電サポなし状態となり、当該変動表示中に突入チャンス演出が実行されると共に突入チャンス演出中の突入成功演出によりＲＵＳＨモードへの移行が報知される。また、当該変動表示が終了すると、ＲＵＳＨモードが開始される（時刻ｔ１３）。
【００９６】
また、図２８に示すように、大当り遊技終了後に確変フラグを値０としたまま時短フラグを値１として低確電サポあり状態が設定される場合には、それに合わせてチャンスモードが設定されて（時刻ｔ２１）、特別図柄の変動表示が順次行なわれていく。そして、特別図柄の所定回数目（５０回目）の変動表示が行なわれる際に（時刻ｔ２２）、時短フラグを値０として低確電サポあり状態から低確電サポなし状態となり、当該変動表示中に突入チャンス演出が実行されると共に突入チャンス演出中の突入失敗演出により通常モードへの移行が報知される。また、当該変動表示が終了すると、通常モードが開始される（時刻ｔ２３）。なお、チャンスモード中の突入チャンス演出や成否判明演出（成功演出，失敗演出）を実行するために、所定回数目の変動表示時間を所定回数以前（１〜４９回目）の変動表示時間よりも長くするものなどとしてもよい。また、図２７，図２８では、所定回数目の変動表示が開始される際に時短フラグを値０として遊技状態を変更するものを例示したが、時短フラグを値０としても当該変動表示が終了するまで遊技状態を維持し当該変動表示が終了すると遊技状態を変更するものとしてもよい。あるいは、所定回数目の変動表示が終了した際に時短フラグを値０として遊技状態を変更するものとしてもよい。
【００９７】
また、図２９に示すように、大当り遊技終了後に時短フラグを値０としたまま確変フラグを値１として高確電サポなし状態が設定される場合には、それに合わせてＲＵＳＨモードが設定されて（時刻ｔ３１）、特別図柄の変動表示が順次行なわれていく。この場合、特別図柄の変動表示の回数に拘わらず、実質的に次に大当り遊技が発生するまで高確電サポなし状態が維持されるから、ＲＵＳＨモードで演出表示が行なわれる。
【００９８】
以上説明した実施例のパチンコ機１では、大当り遊技終了後に設定される高確電サポあり状態と低確電サポあり状態とにおいて、同じチャンスモードで図柄変動演出を行ない、状態報知装置（第１状態報知装置３７と第２状態報知装置３８）が同じ報知態様で遊技状態を報知する。これにより、演出態様や報知態様からでは、遊技状態が高確電サポあり状態および低確電サポあり状態いずれであるかを遊技者に判別しにくくすることができる。このため、電サポあり状態（高確電サポあり状態や低確電サポあり状態）が終了して電サポなし状態に変化すると、小当りラッシュ状態（高確電サポなし状態）になるか通常遊技状態（低確電サポなし状態）になるかに対する遊技者の関心を高めて、遊技興趣を向上さ
せることができる。遊技球が第２始動口２４に入球し易い電サポあり状態は、持ち玉（遊技球）の減りが少なく遊技者に有利な状態であるため、その有利な状態で遊技者は小当りラッシュ状態か通常遊技状態のどちらに移行するかを楽しむことができる。
【００９９】
また、パチンコ機１の電源投入時に、高確電サポあり状態や低確電サポあり状態で復帰した場合には、状態報知装置（第１状態報知装置３７と第２状態報知装置３８）が高確電サポあり状態と低確電サポあり状態とを異なる報知態様で報知する。このため、遊技中には高確電サポあり状態か低確電サポあり状態かを秘匿にしつつ、電源投入時には正確な遊技状態を把握させることができる。このため、例えば、電源投入時に高確電サポあり状態や低確電サポあり状態で復帰しているパチンコ機１を判別したり、その遊技状態を通常遊技状態にリセットしたりすることが可能となる。
【０１００】
実施例では、大当り遊技終了後に設定される高確電サポあり状態と低確電サポあり状態とをいずれもチャンスモードとして、ＲＵＳＨモードに突入するか否かを秘匿にしたが、これに限られるものではない。例えば、図３０に示すように、チャンスモード中からＲＵＳＨモードへの突入を予め報知する演出表示を行なう場合があるものなどとしてもよい。その場合、例えば、大当り遊技終了後に高確電サポあり状態となるためにチャンスモードに設定する際に、抽選などで当選すると、ＲＵＳＨモードへの突入を予め報知するものなどとすればよい。こうすれば、遊技者はチャンスモード（電サポあり状態）が終了するとＲＵＳＨモードになることを事前に認識することができるから、通常モードに移行するリスクを感じることなくチャンスモードを楽しみながら遊技を行なうことができる。また、チャンスモード中の最後の図柄変動演出で突入演出（キャラクタ４３を用いて所定条件の達成を目指す演出）を行なうものに限られず、チャンスモード中の任意のタイミングで所定条件の達成を目指す演出を行なうものとしてもよい。そのような演出として、チャンスモード中に短時間で実行可能な演出（ミニゲーム）を行なうものとすることができる。ミニゲームとしては、例えば、問題に正解することで所定条件が達成されるクイズ演出や、演出ボタン１６の特定操作（連打操作など）を行なわせて所定のレベルゲージが満タンに到達することで所定条件が達成されるボタン演出などとすることができる。そして、ミニゲームで所定条件を達成すると、チャンスモード後にＲＵＳＨモードに移行するか否かを告知するようにすれば、いち早く正確な情報（演出モード、遊技状態）を得たい遊技者に積極的にミニゲームに参加させて演出を楽しませることができる。また、大当り図柄の種類に応じて、ＲＵＳＨモードへの移行を秘匿する演出にするか告知する演出にするかを決定してもよい。例えば、最もラウンド数の多い大当り図柄で当選した場合は、獲得出玉だけでなくチャンスモード後にＲＵＳＨモードに移行することを告知（確定）するようにしておけば、遊技者はラウンド数とＲＵＳＨモードの両方を同時に獲得したことを知ることになり、喜びを大きくして遊技興趣を高めることができる。なお、ＲＵＳＨモードへの移行を秘匿にした場合は、チャンスモード終了後にＲＵＳＨモードに移行できるか否かが分らないことから、遊技者としてはチャンスモード中に大当りに当選することを望む傾向となるため、大当りに当選することに対して肯定的な演出を行なうものとしてもよい。一方、ＲＵＳＨモードへの移行を予め告知した場合は、チャンスモード中に当選するとチャンスモードよりも有利なＲＵＳＨモードに移行できなくなってしまうことから、チャンスモード中のリーチ演出などは否定的な演出で行なうものとしてもよい。このようにすれば、同じ遊技状態であるチャンスモード中でも、演出態様を多彩なものとして遊技者に多様な遊技感覚を与えることができるから、遊技興趣を一層向上させることができる。
【０１０１】
実施例では、チャンスモード中の所定回数目の図柄変動演出中に突入チャンス演出（特定演出）を行なってチャンスモードからＲＵＳＨモードや通常モードに移行するものとしたが、これに限られず、そのような突入チャンス演出を行なわずに演出モードを切り替えるものとしてもよい。
【０１０２】
実施例では、突入成功演出が行なわれると常にチャンスモードからＲＵＳＨモードに移行し、突入失敗演出が行なわれると常にチャンスモードから通常モードに移行するものとしたが、これに限られるものではない。例えば、高確電サポあり状態のチャンスモードにおいて、一旦突入失敗演出を行なって通常モードに移行するように見せかけた後に復活演出を行なうことにより、ＲＵＳＨモードに移行する場合があるものなどとしてもよい。
【０１０３】
実施例では、電サポあり状態が継続する変動表示の所定回数（時短カウンタの値）として一律に５０回が設定されるものとしたが、これに限られず、大当り図柄の種類に応じて異なる所定回数が設定されるものとしてもよい。例えば、所定回数として、１０回や２０回、３０回、１００回などを設定してもよいし、確変カウンタと同様に１００００回を設定して実質的に次回大当りまで継続する場合があってもよい。このようにすれば、電サポあり状態（高確電サポあり状態や低確電サポあり状態）がいつ終了するか、電サポあり状態が終了すれば小当りラッシュ状態が開始されるかなどに遊技者の関心を高めて、遊技興趣をより向上させることができる。
【０１０４】
実施例では、図９の点灯態様に基づいて状態報知装置（第１状態報知装置３７と第２状態報知装置３８）が遊技状態を報知するものとしたが、これに限られず、図３１〜図３３の変形例の点灯態様のようにしてもよい。なお、図３１〜図３３の各図（ａ）は電源復帰時の点灯態様であり、各図（ｂ）は遊技中の点灯態様である。図３１（ａ）の電源復帰時の点灯態様は、図９（ａ）と同じ態様である。図３１（ｂ）の遊技中の点灯態様は、図９（ｂ）と同様に高確電サポあり状態と低確電サポあり状態とを同じ点灯態様とするが、図９（ｂ）と異なり高確電サポなし状態で第１状態報知装置３７と第２状態報知装置３８をいずれも消灯させる。このため、遊技中は、高確電サポなし状態と低確電サポなし状態とが同じ点灯態様となり、状態報知装置の点灯態様からでは判別が困難とすることができる。なお、高確電サポなし状態と低確電サポなし状態とは小当りラッシュの有無により明らかに遊技状態が異なることから、遊技者が大きく混乱することはない。一方で、電源復帰時は高確電サポなし状態と低確電サポなし状態とが異なる点灯態様であるため、上述したように、遊技ホールの管理者などが電源復帰時に高確状態となっていることを適切に把握することができる。
【０１０５】
図３２（ａ）の電源復帰時の点灯態様は、図９（ａ）と同じ態様である。図３２（ｂ）の遊技中の点灯態様は、図９（ｂ）と異なり高確電サポあり状態で第２状態報知装置３８を消灯あるいは点灯する点灯態様となっている。例えば、上述した図３０の変形例のように、予めＲＵＳＨモードへ移行することを報知している高確電サポあり状態では、第２状態報知装置３８を点灯して低確電サポあり状態と異なる点灯態様とし、ＲＵＳＨモードへ移行することを秘匿にしている高確電サポあり状態では、第２状態報知装置３８を消灯して低確電サポあり状態と同じ点灯態様とすることができる。これにより、演出モードから遊技者が把握可能な遊技状態と、状態報知装置が報知する遊技状態とを対応させることができるから、遊技者が混乱するのを防止し、演出効果を適切に発揮させることができる。
【０１０６】
図３３（ａ）の電源復帰時の点灯態様は、図９（ａ）と異なり、高確電サポなし状態で第１状態報知装置３７と第２状態報知装置３８をいずれも消灯させる。また、図３３（ｂ）の遊技中の点灯態様は、図３３（ａ）と同じ態様となっている。このため、電源復帰時や遊技中に高確電サポなし状態と低確電サポなし状態とが同じ点灯態様となり、状態報知装置の点灯態様からでは判別が困難となる。ただし、高確電サポなし状態と低確電サポなし状態とは小当りラッシュの有無により明らかに遊技状態が異なるから、遊技者が大きく混乱することはない。なお、図３３（ａ）では、他の状態の点灯態様は、図９（ａ）と同じであり、電源復帰時に電サポあり状態となっている場合に、低確電サポあり状態か高確電サポあり状態かを判別することは可能である。
【０１０７】
実施例では、第１状態報知装置３７および第２状態報知装置３８の２つのＬＥＤ表示装置の点灯と消灯の組合せにより遊技状態を報知するものとしたが、これに限られず、３以上のＬＥＤ表示装置の点灯と消灯の組合せにより遊技状態を報知してもよいし、点滅の有無や発光色の違いなどにより遊技状態を報知するものとしてもよい。また、ＬＥＤ表示装置に限られず、７セグメント表示装置などで遊技状態を報知するものとしてもよい。
【０１０８】
実施例では、第１始動口２３を第１特別図柄用の始動口とし、第２始動口２４と第３始動口２５とを第２特別図柄用の始動口とするように構成したが、これに限られず、第１始動口２３と第２始動口２４とを第１特別図柄用の始動口とし、第３始動口２５を第２特別図柄用の始動口とするように構成してもよいし、第２始動口２４を第２特別図柄用の始動口として第３始動口２５を備えないように構成してもよい。
【０１０９】
実施例では、確変遊技状態（小当りラッシュ）中に通常大当り図柄に当選した場合、当該確変遊技状態を終了させるものとなるが、確変遊技状態中に始動口への遊技球の入球に基づいて特別図柄の変動表示を行なう際に転落抽選を行ない、転落抽選に落選すると、当該確変遊技状態を維持し、転落抽選に当選すると当該確変遊技状態を終了させてもよい。
【０１１０】
実施例では、遊技ホールの島設備から供給される遊技球を賞球や貸球として上受け皿１１に払い出す構成としたが、いわゆる封入式のパチンコ機であってもよい。封入式のパチンコ機は、内部に封入した遊技球を循環させることにより遊技を行なうものである。また、実施例や変形例のパチンコ機は、いわゆる管理遊技機に適用されてもよい。管理遊技機は、主制御装置への外部からのアクセスを制限するものであり、枠制御装置（実施例の払出制御装置に相当）から主制御装置へは特定情報（遊技の性能に影響を与える情報や、遊技の結果に影響を及ぼす虞のある情報）以外を送信可能とし、枠制御装置はＣＲユニットと接続され、枠制御装置を介してのみ外部と通信可能に構成されたものである。
【０１１１】
実施例の主要な要素と課題を解決するための手段の欄に記載した発明の主要な要素との対応関係について説明する。実施例では、第２始動口２４が「可変始動口」に相当し、第１始動口２３や第２始動口２４，第３始動口２５が「始動口」に相当し、第１特別図柄遊技処理のＳ３１４の処理や第２特別図柄遊技処理のＳ４１４の処理を実行する主制御装置６０が「当否判定手段」に相当し、大入賞口２６が「大入賞口」に相当し、大当り遊技処理のＳ５００〜Ｓ５３２，Ｓ５４６，Ｓ５４８の処理を実行する主制御装置６０が「大当り遊技実行手段」に相当し、小当り遊技処理を実行する主制御装置６０が「小当り遊技実行手段」に相当し、遊技状態設定処理のＳ３７０〜Ｓ３７８，Ｓ３８２〜Ｓ３９０の処理と大当り遊技処理のＳ５３４〜Ｓ５４４の処理を実行する主制御装置６０が「遊技状態設定手段」に相当し、大当り終了時演出モード設定処理や図柄変動演出処理を実行するサブ統合制御装置９０と演出図柄表示装置４０と演出表示制御装置９１とが「演出表示手段」に相当し、第１状態報知装置３７と第２状態報知装置３８と電源投入処理のＳ１１６の処理と遊技状態設定処理のＳ１１６の処理、大当り遊技処理のＳ５５０の処理を実行する主制御装置６０が「遊技状態報知手段」に相当する。電源基板９５が「バックアップ機能」に相当する。なお、実施例の主要な要素と課題を解決するための手段の欄に記載した発明の主要な要素との対応関係は、実施例が課題を解決するための手段の欄に記載した発明を実施するための形態を具体的に説明するための一例であることから、課題を解決するための手段の欄に記載した発明の要素を限定するものではない。すなわち、課題を解決するための手段の欄に記載した発明についての解釈はその欄の記載に基づいて行なわれるべきものであり、実施例は課題を解決するための手段の欄に記載した発明の具体的な一例に過ぎないものである。
【０１１２】
以上、本発明の実施の形態について実施例を用いて説明したが、本発明はこうした実施例に何等限定されるものでなく、本発明の要旨を逸脱しない範囲内において、種々なる形
態で実施し得ることは勿論である。
【符号の説明】
【０１１３】
１  パチンコ機、２  外枠、３  前面枠、３ａ  前面枠開放スイッチ、４  ガラス板、５  内枠、５ａ  内枠開放スイッチ、１１  上受け皿、１２  下受け皿、１３  発射ハンドル、１４  スピーカ、１５  枠側装飾ランプ、１６  演出ボタン、１６ａ  演出ボタンスイッチ、２０  遊技盤、２１  遊技領域、２１ａ  外レール、２１ｂ  内レール、２１ｃ  釘、２２  普通図柄作動ゲート、２２ａ  ゲートスイッチ、２３  第１始動口、２３ａ  第１始動口スイッチ、２４  第２始動口、２４ａ  第２始動口スイッチ、２４ｂ  開閉板、２４ｃ  第２始動口ソレノイド、２５  第３始動口、２５ａ  第３始動口スイッチ、２６  大入賞口、２６ａ  大入賞口スイッチ、２６ｂ  開閉板、２６ｃ  大入賞口ソレノイド、２８  普通入賞口、２８ａ  普通入賞口スイッチ、２９  アウト口、３１  第１特別図柄表示装置（第１特図表示装置）、３２  第２特別図柄表示装置（第２特図表示装置）、３３  第１特別図柄保留数表示装置（第１特図保留数表示装置）、３４  第２特別図柄保留数表示装置（第２特図保留数表示装置）、３５  普通図柄表示装置（普図表示装置）、３６  普通図柄保留数表示装置（普図保留数表示装置）、３７  第１状態報知装置、３８  第２状態報知装置、３９  センター役物、４０  演出図柄表示装置、４１Ｌ，４１Ｃ，４１Ｒ  演出図柄（疑似図柄）、４２  保留図柄、４３  キャラクタ、５０  ＣＲユニット、５１  ＣＲユニット端子板、５２  精算表示装置、５３  球貸ボタン、５３ａ
球貸スイッチ、５４  精算ボタン、５４ａ  精算スイッチ、６０  主制御装置、６１  遊技盤中継端子板、６２  図柄表示装置中継端子板、６３  演出中継端子板、６４  裏配線中継端子板、６５  外部接続端子板、６７  設定キースイッチ、６８  ＲＡＭクリアスイッチ、６９  設定表示装置、７０  払出制御装置、７１  払出中継端子板、７３  払出モータ、７４  払出スイッチ、７５  満杯スイッチ、７６  球切れスイッチ、８０  発射制御装置、８１  発射停止スイッチ、８２  タッチスイッチ、８３  発射モータ、９０  サブ統合制御装置、９１  演出表示制御装置、１００  ホールコンピュータ。
【図１】
2020116003.tif 000003
【図２】
2020116003.tif 000004
【図３】
2020116003.tif 000005
【図４】
2020116003.tif 000006
【図５】
2020116003.tif 000007
【図６】
2020116003.tif 000008
【図７】
2020116003.tif 000009
【図８】
2020116003.tif 000010
【図９】
2020116003.tif 000011
【図１０】
2020116003.tif 000012
【図１１】
2020116003.tif 000013
【図１２】
2020116003.tif 000014
【図１３】
2020116003.tif 000015
【図１４】
2020116003.tif 000016
【図１５】
2020116003.tif 000017
【図１６】
2020116003.tif 000018
【図１７】
2020116003.tif 000019
【図１８】
2020116003.tif 000020
【図１９】
2020116003.tif 000021
【図２０】
2020116003.tif 000022
【図２１】
2020116003.tif 000023
【図２２】
2020116003.tif 000024
【図２３】
2020116003.tif 000025
【図２４】
2020116003.tif 000026
【図２５】
2020116003.tif 000027
【図２６】
2020116003.tif 000028
【図２７】
2020116003.tif 000029
【図２８】
2020116003.tif 000030
【図２９】
2020116003.tif 000031
【図３０】
2020116003.tif 000032
【図３１】
2020116003.tif 000033
【図３２】
2020116003.tif 000034
【図３３】
2020116003.tif 000035